(57)【特許請求の範囲】
【請求項１】
内部に延伸するスロットを備えた表面を有する第１のサイドフレーム部材と、内部に延伸するスロットを備えた表面を有する第２のサイドフレーム部材と、を備えたフレーム構造体のためのヒンジアセンブリであって、
略平坦な内面、略平坦な外面及び内部を通るボルト受容孔を有し、該ボルト受容孔が、略平坦な前記内面及び略平坦な前記外面の間で、略平坦な前記外面に対して鋭角な孔軸に沿って延伸する第１要素と、
前記第１要素に枢動可能に接続され、略平坦な内面、略平坦な外面及び内部を通るボルト受容孔を有し、該ボルト受容孔が、略平坦な前記内面及び略平坦な前記外面の間で、略平坦な前記外面に対して鋭角な孔軸に沿って延伸する第２要素と、
前記第１要素の前記ボルト受容孔を通じて延伸可能な第１のボルトと、
前記第２要素の前記ボルト受容孔を通じて延伸可能な第２のボルトと、
前記第１のサイドフレーム部材の前記スロット内に受容可能であるとともに、内部に、係合関係で前記第１のボルトを受容するボルト受容孔を備えた第１のナットと、
前記第２のサイドフレーム部材の前記スロット内に受容可能であるとともに、内部に、係合関係で前記第２のボルトを受容するボルト受容孔を備えた第２のナットと、
を備えることを特徴とするヒンジアセンブリ。
【請求項２】
内面、外面及び内部を通るボルト受容孔を有し、該ボルト受容孔が、前記内面及び前記外面の間で前記外面に対して鋭角な孔軸に沿って延伸する第１要素と、
該第１要素に枢動可能に接続され、内面、外面及び内部を通るボルト受容孔を有し、該ボルト受容孔が、前記内面及び前記外面の間で前記外面に対して鋭角な孔軸に沿って延伸する第２要素と、
前記第１要素の前記ボルト受容孔を通じて延伸する第１のボルトと、
前記第２要素の前記ボルト受容孔を通じて延伸する第２のボルトと、
内部に延伸するスロットを備えた表面を有する第１のサイドフレーム部材と、
内部に延伸するスロットを備えた表面を有する第２のサイドフレーム部材と、
前記第１のサイドフレーム部材の前記スロット内に受容可能であるとともに、内部に、係合関係で前記第１のボルトを受容するボルト受容孔を備えた第１のナットと、
前記第２のサイドフレーム部材のスロット内に受容可能であるとともに、内部に、係合関係で前記第２のボルトを受容するボルト受容孔を備えた第２のナットと、
を備えることを特徴とするフレーム構造体のためのヒンジアセンブリ。
【請求項３】
それぞれのスロットが、第１及び第２の狭まる側壁によって画定され、前記側壁は、前記スロットが内部に延びる表面に対して鋭角である対応平面内に位置することを特徴とする請求項２に記載のヒンジアセンブリ。
【請求項４】
前記第１及び第２の狭まる側壁は終端部を有し、それぞれのスロットは、前記第１及び第２の狭まる側壁の終端部から延び、終端部を有する第１及び第２の外側に当接する広がり壁部によって更に画定されることを特徴とする請求項３に記載のヒンジアセンブリ。
【請求項５】
それぞれのスロットが、前記第１及び第２の外側に当接する広がり壁部の前記終端部から、前記スロットが内部に延びる表面の方に延びる、第１及び第２の内側に当接する広がり壁部によって更に画定され、前記第１及び第２の内側に当接する広がり壁部は終端部を有することを特徴とする請求項４に記載のヒンジアセンブリ。
【請求項６】
それぞれのスロットを画定する、前記第１及び第２の内側に当接する広がり壁部が、略凹状の端壁によって相互接続されることを特徴とする請求項５に記載のヒンジアセンブリ。
【請求項７】
それぞれのナットが、
第１の縁部及び第２の縁部を有し、かつ前記ナットが内部に受容される前記スロットを画定する前記第１及び第２の外側に当接する広がり壁部の一方と係合可能である、略平坦な係合表面と、
前記係合表面の前記第１の縁部から延び、前記ナットが受容される前記スロットを画定する前記第１及び第２の内側に当接する広がり壁部の一方と係合可能である、第１の当接する壁部と、
前記係合表面の前記第２の縁部から延び、端縁部を有し、前記係合表面と略垂直である、位置合わせ表面と、
前記位置合わせ表面の前記端縁部から延び、前記ナットが内部に受容される前記スロットを画定する第１及び第２の外側に当接する広がり壁部のうちの他方と係合可能な第２の当接する壁部であって、終端部を有する、第２の当接する壁部と、
前記第２の当接する壁部の前記端縁部から延び、前記ナットが内部に受容される前記スロットを画定する前記第１及び第２の内側に当接する広がり壁部のうちの他方と係合可能な第３の当接する壁部であって、端縁部を有する、第３の当接する壁部と、を含むことを特徴とする請求項５に記載のヒンジアセンブリ。
【請求項８】
それぞれのナットの前記ボルト受容孔が、前記ナットの前記係合表面に略垂直な軸に沿って延びることを特徴とする請求項７に記載のヒンジアセンブリ。
【請求項９】
前記第１要素が、その前記外面から突出する第１のリップを備えたことを特徴とする請求項２に記載のヒンジアセンブリ。
【請求項１０】
前記第２要素が、その前記外面から突出する第２のリップを備えたことを特徴とする請求項９に記載のヒンジアセンブリ。
【請求項１１】
前記第１要素を前記第２要素に枢動可能に接続するためのピンを更に含むことを特徴とする請求項２に記載のヒンジアセンブリ。
【請求項１２】
内部に延伸するスロットを備えた表面を有する第１のサイドフレーム部材と、内部に延伸するスロットを備えた表面を有する第２のサイドフレーム部材と、を備えたフレーム構造体のためのヒンジアセンブリであって、
略平坦な内面、略平坦な外面及び内部を通るボルト受容孔を有し、該ボルト受容孔が、略平坦な前記内面及び略平坦な前記外面の間で、略平坦な前記外面に対して鋭角な孔軸に沿って延伸する第１要素と、
略平坦な内面、略平坦な外面及び内部を通るボルト受容孔を有し、該ボルト受容孔が、略平坦な前記内面及び前記外面の間で、略平坦な前記外面に対して鋭角な孔軸に沿って延伸する第２要素と、
前記第１要素の前記ボルト受容孔を通じて延伸可能な第１のボルトと、
前記第２要素の前記ボルト受容孔を通じて延伸可能な第２のボルトと、
前記第１のサイドフレーム部材の前記スロット内に受容可能であるとともに、内部に、係合関係で前記第１のボルトを受容するボルト受容孔を備えた第１のナットと、
前記第２のサイドフレーム部材の前記スロット内に受容可能であるとともに、内部に、係合関係で前記第２のボルトを受容するボルト受容孔を備えた第２のナットと、
前記第１要素を前記第２要素に枢動可能に接続するためのピンと、
前記第１要素の前記外面から延びる第１のリップと、
前記第２要素の前記外面から延びる第２のリップと、を備えることを特徴とするヒンジアセンブリ。
【請求項１３】
内面、外面及び内部を通るボルト受容孔を有し、該ボルト受容孔が、前記内面及び前記外面の間で前記外面に対して鋭角な孔軸に沿って延伸する第１要素と、
内面、外面及び内部を通るボルト受容孔を有し、該ボルト受容孔が、前記内面及び前記外面の間で前記外面に対して鋭角な孔軸に沿って延伸する第２要素と、
前記第１要素を前記第２要素に枢動可能に接続するためのピンと、
前記第１要素の前記外面から延びる第１のリップと、
前記第２要素の前記外面から延びる第２のリップと、
前記第１要素の前記ボルト受容孔を通じて延伸する第１のボルトと、
前記第２要素の前記ボルト受容孔を通じて延伸する第２のボルトと、
内部に延伸するスロットを備えた表面を有する第１のサイドフレーム部材と、
内部に延伸するスロットを備えた表面を有する第２のサイドフレーム部材と、
前記第１のサイドフレーム部材の前記スロット内に受容可能であるとともに、内部に、係合関係で前記第１のボルトを受容するボルト受容孔を備えた第１のナットと、
前記第２のサイドフレーム部材のスロット内に受容可能であるとともに、内部に、係合関係で前記第２のボルトを受容するボルト受容孔を備えた第２のナットと、
を備えることを特徴とするフレーム構造体のためのヒンジアセンブリ。
【請求項１４】
それぞれのスロットが、第１及び第２の狭まる側壁によって画定され、前記側壁は、前記スロットが内部に延びる表面に対して鋭角である対応面内に位置することを特徴とする請求項１３に記載のヒンジアセンブリ。
【請求項１５】
前記第１及び第２の狭まる側壁は終端部を有し、それぞれのスロットは、前記第１及び第２の狭まる側壁の終端部から延び、終端部を有する第１及び第２の外側に当接する広がり壁部によって更に画定されることを特徴とする請求項１４に記載のヒンジアセンブリ。
【請求項１６】
それぞれのスロットが、前記第１及び第２の外側に当接する広がり壁部の前記終端部から、前記スロットが内部に延びる表面の方に延びる、第１及び第２の内側に当接する広がり壁部によって更に画定され、前記第１及び第２の内側に当接する広がり壁部は終端部を有することを特徴とする請求項１５に記載のヒンジアセンブリ。
【請求項１７】
それぞれのスロットを画定する、前記第１及び第２の内側に当接する広がり壁部が、略凹状の端壁によって相互接続されることを特徴とする請求項１６に記載のヒンジアセンブリ。
【請求項１８】
それぞれのナットが、
第１の縁部及び第２の縁部を有し、かつ前記ナットが内部に受容される前記スロットを画定する前記第１及び第２の外側に当接する広がり壁部の一方と係合可能である略平坦な係合表面と、
前記係合表面の前記第１の縁部から延び、前記ナットが受容される前記スロットを画定する前記第１及び第２の内側に当接する広がり壁部の一方と係合可能である第１の当接する壁部と、
前記係合表面の前記第２の縁部から延び、端縁部を有し、前記係合表面に対して略垂直である位置合わせ表面と、
前記位置合わせ表面の前記端縁部から延び、前記ナットが内部に受容される前記スロットを画定する第１及び第２の外側に当接する広がり壁部のうちの他方と係合可能な第２の当接する壁部であって、終端部を有する第２の当接する壁部と、
前記第２の当接する壁部の前記端縁部から延び、前記ナットが内部に受容される前記スロットを画定する前記第１及び第２の内側に当接する広がり壁部のうちの他方と係合可能な第３の当接する壁部であって、端縁部を有する第３の当接する壁部と、を含むことを特徴とする請求項１６に記載のヒンジアセンブリ。
【請求項１９】
それぞれのナットの前記ボルト受容孔が、前記ナットの前記係合表面に対して略垂直な軸に沿って延びることを特徴とする請求項１８に記載のヒンジアセンブリ。
【請求項２０】
内面、外面及び内部を通るボルト受容孔を有し、該ボルト受容孔が、前記内面及び前記外面の間で前記外面に対して鋭角な孔軸に沿って延伸する第１要素と、
前記第１要素に枢動可能に接続され、内面、外面及び内部を通るボルト受容孔を有し、該ボルト受容孔が、前記内面及び前記外面の間で前記外面に対して鋭角な孔軸に沿って延伸する第２要素と、
前記第１要素の前記ボルト受容孔を通じて延伸する第１のボルトと、
前記第２要素の前記ボルト受容孔を通じて延伸する第２のボルトと、
内部に延伸するスロットを備えた表面を有する第１のサイドフレーム部材と、
内部に延伸するスロットを備えた表面を有する第２のサイドフレーム部材と、
前記第１のサイドフレーム部材の前記スロット内に受容可能であるとともに、内部に、係合関係で第１の対のボルトの第１のボルトを受容するボルト受容孔を備えた第１のナットと、
前記第２のサイドフレーム部材の前記スロット内に受容可能であるとともに、内部に、係合関係で前記第１の対のボルトの第２のボルトを受容するボルト受容孔を備えた第２のナットと、
を備えることを特徴とするフレーム接続体のためのヒンジアセンブリ。
【請求項２１】
それぞれのスロットが、第１及び第２の狭まる側壁によって画定され、前記側壁は、前記スロットが内部に延びる表面に対して鋭角である対応平面内に位置することを特徴とする請求項２０に記載のヒンジアセンブリ。
【請求項２２】
それぞれのスロットが、第１及び第２の外側に当接する広がり壁部によって更に画定され、前記第１の外側に当接する広がり壁部が、前記第１の狭まる側壁に対して略垂直であり、前記第２の外側に当接する広がり壁部が、前記第２の狭まる側壁に対して略垂直であることを特徴とする請求項２１に記載のヒンジアセンブリ。
【請求項２３】
それぞれのスロットが、第１及び第２の内側に当接する広がり壁部によって更に画定され、前記第１の内側に当接する広がり壁部が、前記第２の狭まる側壁に対して略垂直であり、前記第２の内側に当接する広がり壁部が、前記第１の狭まる側壁に対して略垂直であることを特徴とする請求項２２に記載のヒンジアセンブリ。
【請求項２４】
それぞれのスロットを画定する前記第１及び第２の内側に当接する広がり壁部が、端壁によって相互接続されることを特徴とする請求項２３に記載のヒンジアセンブリ。
【請求項２５】
それぞれのナットが、
第１の縁部及び第２の縁部を有し、かつ前記ナットが内部に受容される前記スロットを画定する前記第１及び第２の外側に当接する広がり壁部の一方と係合可能である、略平坦な係合表面と、
前記係合表面の前記第１の縁部から延び、前記ナットが受容される前記スロットを画定する前記第１及び第２の内側に当接する広がり壁部の一方と係合可能である第１の当接する壁部と、
前記係合表面の前記第２の縁部から延び、端縁部を有し、前記係合表面と略垂直である、位置合わせ表面と、
前記位置合わせ表面の前記端縁部から延び、前記ナットが内部に受容される前記スロットを画定する第１及び第２の外側に当接する広がり壁部のうちの他方と係合可能な第２の当接する壁部であって、終端部を有する第２の当接する壁部と、
前記第２の当接する壁部の前記端縁部から延び、前記ナットが内部に受容される前記スロットを画定する前記第１及び第２の内側に当接する広がり壁部のうちの他方と係合可能な第３の当接する壁部であって、端縁部を有する第３の当接する壁部と、を含むことを特徴とする請求項２３に記載のヒンジアセンブリ。
【請求項２６】
前記第１要素が、その前記外面から突出する第１のリップを備え、前記第２要素が、その外面から突出する第２のリップを備えたことを特徴とする請求項２０に記載のヒンジアセンブリ。
【請求項２７】
前記第１要素を前記第２要素に枢動可能に接続するためのピンを更に含むことを特徴とする請求項２０に記載のヒンジアセンブリ。
【発明の詳細な説明】
【技術分野】
【０００１】
（関連出願の相互参照）
本出願は、２０１０年４月２６日に出願された米国特許仮出願第６１／３２７，９２５号の優先権を主張し、その全体は本明細書において参照により明示的に組み込まれる。
【０００２】
本発明は、一般的に、自動装置等の構造的フレームアセンブリ、特に、繰り返し使用する際に機械的に接続されたままであるフレーム構造体のヒンジアセンブリに関する。
【背景技術】
【０００３】
周知のように、自動装置及び家具から建造物などに至る全てを含む様々な製品の構成に、構造フレームが使用される。構造フレームは典型的に、コーナー部品、接合部、又は結合により、一緒に結合される水平及び垂直フレーム部材を組み込む。構造フレームの内部を分離するために、及び／又は審美的に心地の良い外観を提供するために、パネルなどの被覆部材がフレーム部材に固定される場合がある。加えて、様々な構成要素が構造フレームに相互接続されて、構造フレームがその意図される目的のために使用されることを可能にする。例として、ドアの取り付けを容易にするために、構造フレームにヒンジが相互接続される場合がある。構造フレームが引き出しとして機能できるようにするために構造フレームのスライドに、スライダーが相互接続される場合がある。その意図される目的を容易にするために、他の種類の構成要素が構造フレームに相互接続され得ることが理解できる。
【０００４】
典型的に、構造フレームの構成要素は摩擦によって一緒に保持される。例えば、水平及び垂直フレーム部材を一緒に固定するために、多くの場合においてナット及びボルトの組み合わせが使用される。しかしながら、構造フレームを一緒に保持するナット及びボルトの組み合わせは、振動及び／又は環境に晒されると、時間とともに緩くなることが多い。ナット及びボルトの組み合わせが緩くなると、構造フレームの一体性が劣化する恐れがある。更に、ナット及びボルトの組み合わせが緩くなると、それに伴ってフレーム部材及び構成要素が互いに対して回転することにより、構造フレームの位置合わせが劣化する。
【０００５】
したがって、繰り返し使用する際に機械的に接続された状態が維持されるフレーム構造体のためのヒンジアセンブリを提供することが、本発明の主要な目的及び特徴である。
単純かつ容易に組み込むことができる、フレーム構造体のためのヒンジアセンブリを提供することが、本発明の更なる目的及び特徴である。
様々な用途に適合されるフレーム構造体のためのヒンジアセンブリを提供することが、本発明の更なる目的及び特徴である。
【０００６】
本発明により、フレーム構造体のヒンジアセンブリが提供される。ヒンジアセンブリは、内面と、外面と、内部を通るボルト受容孔とを有し、このボルト受容孔は、内面と外面との間で外面に対して鋭角な孔軸に沿って延びる、第１のほぼ平坦なプレートを含む。第２のほぼ平坦なプレートは、第１のプレートに枢動可能に接続される。第２のプレートは、内面と、外面と、内部を通るボルト受容孔とを有する。ボルト受容孔は、内面と外面との間で外面に対して鋭角な孔軸に沿って延びる。
【０００７】
ヒンジアセンブリはまた、第１のプレートのボルト受容孔を通じて延びる第１のボルトと、第２のプレートのボルト受容孔を通じて延びる第２のボルトと、を含んでもよい。第１の細長いフレーム部材は、内部に延びるスロットを備える表面を有し、第２の細長いフレーム部材は、内部に延びるスロットを備える表面を有する。第１のナットは、第１の細長いフレーム部材のスロット内に受容可能であり、内部にボルト受容孔を含む。ボルト受容孔は、係合関係で第１のボルトを受容するように適合される。第２のナットは、第２の細長いフレーム部材のスロット内に受容可能であり、内部にボルト受容孔を含む。第２のナットのボルト受容孔は、第２のボルトを係合関係で受容するように適合される。
【０００８】
スロットはそれぞれ、第１及び第２の狭まる側壁によって画定される。側壁は、スロットが内部に延びる表面に対して鋭角である対応平面に存在する。第１及び第２の狭まる側壁は終端部を有し、それぞれのスロットは、第１及び第２の狭まる側壁の終端部から延び、終端部を有する第１及び第２の外側に当接する広がり壁部によって更に画定される。それぞれのスロットはまた、第１及び第２の外側に当接する広がり壁部の終端部から、スロットが内部に延びる表面の方に延びる、第１及び第２の内側に当接する広がり壁部によって画定されてもよい。第１及び第２の内側に当接する広がり壁部は、終端部を有する。それぞれのスロットを画定する、第１及び第２の内側に当接する広がり壁部の終端部は、ほぼ凹状の端壁によって相互接続される。
【０００９】
それぞれのナットは、第１の縁部及び第２の縁部を有し、かつナットが内部に受容されるスロットを画定する第１及び第２の外側に当接する広がり壁部の一方と係合可能である、ほぼ平坦な係合表面を含む。第１の当接する壁部は、係合表面の第１の縁部から延び、ナットが内部に受容されるスロットを画定する第１及び第２の内側に当接する広がり壁部の一方と係合可能である。位置合わせ表面は、係合表面の第２の縁部から延び、端縁部を有する。位置合わせ表面は、係合表面とほぼ垂直である。第２の当接する壁部は、位置合わせ表面の端縁部から延び、ナットが内部に受容されるスロットを画定する第１及び第２の外側に当接する広がり壁部のうちの他方と係合可能である。第２の当接する壁部は、端縁部を有する。第３の当接する壁部は、第２の当接する壁部の端縁部から延び、ナットが内部に受容されるスロットを画定する第１及び第２の内側に当接する広がり壁部の他方と係合可能である。第３の当接する壁部は、端縁部を有する。それぞれのナットのボルト受容孔は、ナットの係合表面にほぼ垂直な軸に沿って延びることが想到される。第１のプレートは、その内面から突出する第１のリップを含んでもよく、第２のプレートは、その内面から突出する第２のリップを含んでもよい。ピンは、第１のプレートを第２のプレートに枢動可能に接続する。
【００１０】
本発明の更なる態様により、ヒンジアセンブリはフレーム構造のために提供される。ヒンジアセンブリは、内面と、外面と、内部を通るボルト受容孔を有する、第１のほぼ平坦なプレートを含む。ボルト受容孔は、内面と外面との間で外面に対して鋭角な孔軸に沿って延びる。第２のほぼ平坦なプレートは、内面と、外面と、内部を通るボルト受容孔を有する。ボルト受容孔は、内面と外面との間で外面に対して鋭角な孔軸に沿って延びる。ピンは、第１のプレートを第２のプレートに枢動可能に接続する。第１のリップは、第１のプレートの内面から延び、第２のリップが第２のプレートの内面から延びる。
【００１１】
スロットはそれぞれ、第１及び第２の狭まる側壁によって画定される。側壁は、スロットが内部に延びる表面に対して鋭角である対応平面に存在する。第１及び第２の狭まる側壁は終端部を有し、それぞれのスロットは、第１及び第２の狭まる側壁の終端部から延び、終端部を有する第１及び第２の外側に当接する広がり壁部によって更に画定される。それぞれのスロットはまた、第１及び第２の外側に当接する広がり壁部の終端部から、スロットが内部に延びる表面の方に延びる、第１及び第２の内側に当接する広がり壁部によって画定されてもよい。第１及び第２の内側に当接する広がり壁部は、終端部を有する。それぞれのスロットを画定する、第１及び第２の内側に当接する広がり壁部の終端部は、ほぼ凹状の端壁によって相互接続される。
【００１２】
それぞれのナットは、第１の縁部及び第２の縁部を有し、かつナットが内部に受容されるスロットを画定する第１及び第２の外側に当接する広がり壁部の一方と係合可能である、ほぼ平坦な係合表面を含む。第１の当接する壁部は、係合表面の第１の縁部から延び、ナットが内部に受容されるスロットを画定する第１及び第２の内側に当接する広がり壁部の一方と係合可能である。位置合わせ表面は、係合表面の第２の縁部から延び、端縁部を有する。位置合わせ表面は、係合表面とほぼ垂直である。第２の当接する壁部は、位置合わせ表面の端縁部から延び、ナットが内部に受容されるスロットを画定する第１及び第２の外側に当接する広がり壁部のうちの他方と係合可能である。第２の当接する壁部は、端縁部を有する。第３の当接する壁部は、第２の当接する壁部の端縁部から延び、ナットが内部に受容されるスロットを画定する第１及び第２の内側に当接する広がり壁部の他方と係合可能である。第３の当接する壁部は、端縁部を有する。それぞれのナットのボルト受容孔は、ナットの係合表面にほぼ垂直な軸に沿って延びることが想到される。
【００１３】
本発明の更なる態様により、ヒンジアセンブリはフレーム接続体のために提供される。ヒンジアセンブリは、内面と、外面と、内部を通るボルト受容孔を有する、第１のほぼ平坦なプレートを含む。ボルト受容孔は、内面と外面との間で外面に対して鋭角な孔軸に沿って延びる。第２のほぼ平坦なプレートは、第１のプレートに枢動可能に接続される。第２のプレートは、内面と、外面と、内部を通るボルト受容孔とを有する。ボルト受容孔は、内面と外面との間で外面に対して鋭角な孔軸に沿って延びる。第１のボルトは、第１のプレートのボルト受容孔を通じて延び、第２のボルトは、第２のプレートのボルト受容孔を通じて延びる。第１の細長いフレーム部材は、内部に延びるスロットを備える表面を有し、第２の細長いフレーム部材は、内部に延びるスロットを備える表面を有する。第１のナットは、第１の細長いフレーム部材のスロット内に受容可能であり、内部にボルト受容孔を含む。ボルト受容孔は、係合関係で第１の対のボルトの第１のボルトを受容するように適合される。同様に、第２のナットは、第２の細長いフレーム部材のスロット内に受容可能であり、内部にボルト受容孔を含む。第２のナットのボルト受容孔は、係合関係で第１の対のボルトの第２のボルトを受容するように適合される。
【００１４】
スロットはそれぞれ、第１及び第２の狭まる側壁によって画定される。側壁は、スロットが内部に延びる表面に対して鋭角である対応平面に存在する。それぞれのスロットは、第１及び第２の外側に当接する広がり壁部によって更に画定される。第１の外側に当接する広がり壁部は、第１の狭まる側壁に対してほぼ垂直であり、第２の外側に当接する広がり壁部は、第２の狭まる側壁に対してほぼ垂直である。それぞれのスロットは、第１及び第２の内側に当接する広がり壁部によって更に画定される。第１の内側に当接する広がり壁部は、第２の狭まる側壁に対してほぼ垂直であり、第２の内側に当接する広がり壁部は、第１の狭まる側壁に対してほぼ垂直である。それぞれのスロットを画定する第１及び第２の内側に当接する広がり壁部の終端部は、端壁によって相互接続される。
【００１５】
それぞれのナットは、第１の縁部及び第２の縁部を有し、かつナットが内部に受容されるスロットを画定する第１及び第２の外側に当接する広がり壁部の一方と係合可能である、ほぼ平坦な係合表面を含む。第１の当接する壁部は、係合表面の第１の縁部から延び、ナットが内部に受容されるスロットを画定する第１及び第２の内側に当接する広がり壁部の一方と係合可能である。位置合わせ表面は、係合表面の第２の縁部から延び、端縁部を有する。位置合わせ表面は、係合表面とほぼ垂直である。第２の当接する壁部は、位置合わせ表面の端縁部から延び、ナットが内部に受容されるスロットを画定する第１及び第２の外側に当接する広がり壁部のうちの他方と係合可能である。第２の当接する壁部は、端縁部を有する。第３の当接する壁部は、第２の当接する壁部の端縁部から延び、ナットが内部に受容されるスロットを画定する第１及び第２の内側に当接する広がり壁部の他方と係合可能である。第３の当接する壁部は、端縁部を有する。第１のプレートは、その内面から突出する第１のリップを含んでもよく、第２のプレートは、その内面から突出する第２のリップを含んでもよい。ピンは、第１のプレートを第２のプレートに枢動可能に接続する。
【図面の簡単な説明】
【００１６】
本明細書に添付される図面は、上記の利点及び特徴が明確に開示される本発明の好ましい構成、並びに例示の実施形態に関する以下の記載から容易に理解される他の構成を例示する。
図面は以下の通りである。
【図１】本発明に係るフレーム部材及び構成要素を組み込む、組み立てたフレームの第１の側面の等角図である。
【図２】本発明に係るフレーム部材及び構成要素を組み込む、図１の組み立てたフレームの第２の側面の等角図である。
【図３】図１の線３−３に沿った、組み立てたフレームの拡大等角図である。
【図４】図３の線４−４に沿った、組み立てたフレームの断面図である。
【図５】図３の線５−５に沿った、組み立てたフレームの断面図である。
【図６】図２の直線６−６に沿った、組み立てたフレームの拡大等角図である。
【図７】図６の線７−７に沿った、組み立てたフレームの断面図である。
【図８】図６の線８−８に沿った、組み立てたフレームの断面図である。
【図９】本発明係るフレーム部材の等角図である。
【図１０】図９の線１０−１０に沿ったフレーム部材の断面図である。
【図１１】図２の線１１−１１に沿った、組み立てたフレームの拡大等角図である。
【図１１Ａ】本発明に係るナットの側面図である。
【図１１Ｂ】図１１Ａのナットの第１側部の等角図である。
【図１１Ｃ】図１１Ａのナットの第２側部の等角図である。
【図１２】本発明に係る第１及び第２の相互接続したフレーム部材を示す、図１の組み立てたフレームの一部の等角図である。
【図１３】図１２の第１及び第２の相互接続したフレーム部材の端面図である。
【図１４】図１２の線１４−１４に沿った第１及び第２の相互接続したフレーム部材の断面図である。
【図１５】図１２の線１５−１５に沿った第１及び第２の相互接続したフレーム部材の断面図である。
【図１６】図２の線１６−１６に沿った、組み立てたフレームの拡大等角図である。
【図１７】図１６の線１７−１７に沿った、組み立てたフレームの等角図である。
【図１８】図１の線１８−１８に沿った、組み立てたフレームの拡大等角図である。
【図１８Ａ】図１８の線１８Ａ−１８Ａに沿った、組み立てたフレームの断面図である。
【図１８Ｂ】は図１８の線１８Ｂ−１８Ｂに沿った、組み立てたフレームの断面図である。
【図１９】本発明に係るフレーム部材の別の実施形態の等角図である。
【図２０】図１９のフレーム部材の端面図である。
【図２１】図２０のフレーム部材の正面図である。
【図２２】図１９のフレーム部材の平面図である。
【図２３】図１９のフレーム部材の背面図である。
【図２４】別のフレーム部材に取り付けられた、本発明によるコーナー部品の等角図である。
【図２５】図２４のコーナー部品及びフレーム部材の端面図である。
【図２６】図２４の線２６−２６に沿ったコーナー部品及びフレーム部材の断面図である。
【図２７】本発明に係るコーナー部品の更なる実施形態の等角図である。
【図２８】図２７のコーナー部品の正面図である。
【図２９】図２７のコーナー部品の背面図である。
【図３０】図２８の線３０−３０に沿った本発明のコーナー部品の断面図である。
【図３１】図２７のコーナー部品の平面図である。
【図３２】図２７のコーナー部品の底面図である。
【図３３】図２７のコーナー部品の第１側部の側面図である。
【図３４】図２７のコーナー部品の第２側部の側面図である。
【図３５】本発明に係るコーナー部品の別の実施形態の等角図である。
【図３６】図３５のコーナー部品の正面図である。
【図３７】図３５のコーナー部品の背面図である。
【図３８】図３５のコーナー部品の平面図である。
【図３９】図３５のコーナー部品の底面図である。
【図４０】図３５のコーナー部品の第１側部の側面図である。
【図４１】図３５のコーナー部品の第２側部の側面図である。
【図４２】本発明に係るコーナー部品の更なる実施形態の等角図である。
【図４３】図４２のコーナー部品の正面図である。
【図４４】図４２のコーナー部品の背面図である。
【図４５】図４２のコーナー部品の平面図である。
【図４６】図４２のコーナー部品の底面図である。
【図４７】図４２のコーナー部品の第１側部の側面図である。
【図４８】図４２のコーナー部品の第２側部の側面図である。
【図４９】本発明に係るコーナー部品の更なる実施形態の等角図である。
【図５０】図４９のコーナー部品の正面図である。
【図５１】図４９のコーナー部品の背面図である。
【図５２】図４９のコーナー部品の平面図である。
【図５３】図４９のコーナー部品の底面図である。
【図５４】図４９のコーナー部品の第１側部の側面図である。
【図５５】図４９のコーナー部品の第２側部の側面図である。
【図５６】開いた構成における、本発明に係るヒンジの別の実施形態の等角図である。
【図５７】図５６のヒンジの端面図である。
【図５８】図５６のヒンジの平面図である。
【発明を実施するための形態】
【００１７】
図１を参照し、本発明に係る構成要素から構成されるフレームアセンブリが、符号１０として示す。以降に記載されるように、本発明の構成要素は、様々な構成のフレームアセンブリを構成するために使用することができる。したがって、本実施形態におけるフレームアセンブリ１０は、本発明に係るフレームアセンブリの一実施形態にすぎない。フレームアセンブリ１０の他の構成が、本発明の範囲内で想到される。
【００１８】
フレームアセンブリ１０は、対向して離間している長手方向に延びる第１のサイドフレーム部材１４及び第２のサイドフレーム部材１６と、上方フレーム部材１８と、下方フレーム部材２０とによってそれぞれ画定されるドアフレーム１２を含む。第１のサイドフレーム部材１４は、コーナー部品２６によって上方フレーム部材１８及び下方フレーム部材２０にそれぞれ、しっかりと相互接続される。同様に、第２のサイドフレーム部材１６はそれぞれ、コーナー部品２６により、上方のクロスフレーム部材１８及び下方のクロスフレーム部材２０に、それぞれしっかりと相互接続される。コーナー部品２６は以下、左コーナー部品と称され、一方でコーナー部品２４は以降、右コーナー部品と称される。用語「右」及び「左」は、各コーナー部品の下側のほぞ又はリップの位置を指す。左コーナー部品２６は、本質的に右コーナー部品２４の鏡像であることが理解され得る。以降に記載されるように、コーナー部品２４及び２６は、第１のサイドフレーム部材１４及び第２のサイドフレーム部材１６などのフレーム部材をそれぞれ、上方のクロスフレーム部材１８及び下方フレーム部材２０などのフレーム部材にしっかりと相互接続させるために使用される。
【００１９】
記載される実施形態において、第１のサイドフレーム部材１４、及び第２のサイドフレーム部材１６と、上方フレーム部材１８及び下方フレーム部材２０は同一の構造であり、したがって、第１のサイドフレーム部材１４の以下における説明は、第２のサイドフレーム部材１６、上方フレーム部材１８及び下方フレーム部材２０を、これが本明細書においてあたかも完全に記載されたかのように説明するものと理解される。
【００２０】
図１及び９〜１０を参照し、第１のサイドフレーム部材１４は、ほぼ正方形の構成を有し、長手方向軸に沿って延びる。第１のサイドフレーム部材１４は、４つの面３０ａ〜３０ｄによって画定される。それぞれの面３０ａ〜３０ｄは、同一の構造であり、したがって、面３０ａの以下における記載は、面３０ｂ〜３０ｄを、あたかもこれが本明細書において完全に記載されたかのようにして説明するものと理解される。第１のサイドフレーム部材１４の面３０ａはそれぞれほぼ平坦であり、その全長に沿って延びるスロット３２を内部に含む。スロット３２は、面３０ａから第１側壁３４及び第２側壁３６まで角度３８で延びる、第１側壁３４及び第２側壁３６それぞれによって画定される。角度３８は、１°〜８９°の範囲にあるが、好ましくは約３０°〜約８０°であり、最も好ましくは約６５°であると想到される。スロット３２は更に、第１の外側に当接する壁部４２、及び第２の外側に当接する壁部４４それぞれによって画定され、これらは第１側壁３４の対応する端縁部３４ａ及び第２側壁３６の対応する端縁部３６ａから分かれている。第１の当接する壁部４２は、第１側壁３４と垂直であり、第２の当接する壁部４４は第２側壁３６と垂直である。第１の内側に当接する壁部４６及び第２の内側に当接する壁部４８はそれぞれ、互いから分かれて、第１の外側に当接する壁部４２及び第２の外側に当接する壁部４４のそれぞれの内縁部４２ａ及び４４ａからそれぞれ延びる。凹状の端壁５０は、それぞれ第１の内側に当接する壁部４６の端縁部４６ａと、第２の内側に当接する壁部４８の端縁部４８ａとの間に延びる。以下に記載される理由により、第１の外側に当接する壁部４２は、第２の内側に当接する壁部４８の面とほぼ平行な面に位置する。同様に、第２の外側に当接する壁部４４は、第１の内側に当接する壁部４６の面とほぼ平行な面に位置する。スロット３２は以下に記載されるように、内部に捕捉されるナット１０４の形状と一致するように構成される。
【００２１】
図１９〜２３を参照し、フレーム部材の別の実施形態は、符号５１により示される。フレーム部材５１は、一般的に正方形の構成を有し、長手方向軸に沿って延びる。より具体的に、フレーム部材５１は、４つのほぼ平坦な面５３ａ〜５３ｄ、並びに対向する第１端部５５及び第２端部５７それぞれにより画定される。フレーム部材５１は、ユーザーが所望する任意の長さで製造されるものとして想定される。面５３ｂ及び５３ｄはほぼ平坦であり、互いに平行である。面５３ｃは、縁部５９及び６１において面５３ｂ及び５３ｄと相互接続それぞれする。同様に、面５３ａはそれぞれ、縁部６３及び６５において面５３ｂ及び５３ｄと相互接続し、その全長に沿って延びるスロット３２（前述）を内部に含む。スロット３２は、フレーム部材５１の対応する端部５５及び５７の方に開口している。スロット３２は、上述のように、内部に捕捉されるナット１０４の形状と一致するように構成される。
【００２２】
図９〜１０を再び参照し、第１のサイドフレーム部材１４は、第１面３０ａ及び第２面３０ｂの連結部に形成され、その長さに沿って延びる第１棚部５２を含む。第１棚部５２は第１側壁５４及び第２側壁５６それぞれによって画定され、これらは互いに垂直であり、交差する。第１側壁５４は縁部５８において第１面３０ａと交差し、第２側壁５６は縁部６０において第２面３０ｂと交差する。第２棚部６２は、第２面３０ｂ及び第３面３０ｃの接合点に形成され、第１のサイドフレーム部材１４の長さに沿って延びる。第２棚部６２は第２側壁６４及び第２側壁６６によって画定され、これらは互いに垂直であり、交差する。第１側壁６４は縁部６８において第２面３０ｂと交差し、第２側壁６６は縁部７０において第３面３０ｃと交差する。第３棚部７２は、第３面３０ｃ及び第４面３０ｄの接合部に形成され、第１のサイドフレーム部材１４の長さに沿って延びる。第３棚部７２は第１側壁７４及び第２側壁７６それぞれによって画定され、これらは互いに垂直であり、交差する。第１側壁７４は縁部７８において第３面３０ｃと交差し、第２側壁７６は縁部８０において第４面３０ｄと交差する。第４棚部８２は、第４面３０ｄ及び第１面３０ａの接合部に形成され、第１のサイドフレーム部材１４の長さに沿って延びる。第４棚部８２は第１側壁８４及び第２側壁８６それぞれによって画定され、これらは互いに垂直であり、交差する。第１側壁８４は縁部８８において第４面３０ｄと交差し、第２側壁８６は縁部９０において第１面３０ａと交差する。第１のサイドフレーム部材１４は、その全長にわたって延びる複数の経路９２ａ〜９２ｄを含んでもよい。加えて、中央経路９３は、その中央長手方向軸に沿って、第１のサイドフレーム部材１４の全長を通じて延びる。以降に記載されるように、第１棚部５２、第２棚部６２、第３棚部７２及び第４棚部８２はそれぞれ、特定の状況下では任意である。
【００２３】
図１及び４２〜４８を参照し、左コーナー部品２６が、第１のサイドフレーム部材１４を上方フレーム部材１８及び下方フレーム部材２０にそれぞれ相互接続する。各左コーナー部品２６は、水平プレート部材９４及び、直立、すなわち垂直プレート部材９６によって画定されるＬ字型本体を含む。水平プレート部材９４は、ほぼ平坦な上面９５、ほぼ平坦な反対側の内面９７、内側面１０１、及び端面１〜３を画定する。示される実施形態において、これらの面はそれぞれ、ほぼ平坦な形状である。直立、すなわち垂直プレート部材９６はまた、水平プレート部材９４の内面９７と隣接するほぼ平坦な内面１０７、水平プレート部材９４の上面９５と隣接するほぼ平坦な外面１０９、水平プレート部材９４の内側面１０１と隣接する内側面１１１、及び底面１１５を画定する。水平プレート部材９４は、それを通って形成される一対の隣接する、上方に延びるボルト受容孔９８及び１１３を有し、これらは水平プレート部材の内面９７と上面９５との間に延びる。各孔９８及び１１３は、垂直プレート部材９６が位置する平面とほぼ平行な軸を画定し、水平プレート部材９４の下面に対して鋭角に配置される。鋭角は１°〜８９°の範囲にあることが好ましいが、好ましくは約３０°〜約８０°であり、最も好ましくは約６５°である。ボルト（図示されない）は水平プレート部材９４において対応孔９８及び１１３を通じて、上方のクロスフレーム部材１８の第１面３０ａにおけるスロット３２内に延びる。以降に記載されるように、ナット１０４は、上方のクロスフレーム部材１８の第１面３０ａにおけるスロット３２の終端部内に提供され、左コーナー部品２６を上方のクロスフレーム部材１８にしっかりと接続するように、対応ボルトのシャフト上でねじ付けされる。
【００２４】
左コーナー部品２６の直立、すなわち垂直プレート部材９６はまた、その内面１０７からその外面１０９まで、それを通って形成される、隣接し、位置合わせされた外側に延びる一対のボルト受容孔１０５及び１０６を含み、これを通じて、対応ボルト（図示されない）が、第１のサイドフレーム部材１４の第１面３０ａにおけるスロット３２内に延びる。各孔１０５及び１０６は、垂直プレート部材９４が位置する平面とほぼ平行な軸を画定し、並びに垂直プレート部材９６の内面１０７に対して鋭角に配置される。また、この鋭角は、１°〜８９°の範囲であってもよいが、好ましくは約３０°〜約８０°、最も好ましくは約６５°である。ナット１０４は、第１のサイドフレーム部材１４の第１面３０ａのスロット３２の終端部内に提供され、左コーナー部品２６を第１のサイドフレーム部材１４にしっかりと接続するために、対応ボルトのシャフト上でねじ付けされる。
【００２５】
垂直プレート部材９６は、そこから外側に突出するリップ１１４を有する。リップ１１４は、垂直プレート部材９６の底面１１５と隣接する下面を有する。リップ１１４はその全長に沿って、垂直プレート部材９６の外面１０９に対してほぼ９０°で配置される。リップ１１４は、垂直プレート部材９６の外面１０９にわたる全長に沿って延びる必要はないが、第１のサイドフレーム部材１４の第１棚部５２に対して最大量のクランプ力をもたらすために、そのように延びるのが好ましい。同様に、水平プレート部材９４は、そこから外側に突出するリップ１１６を有する。リップ１１６は、水平プレート部材９４の端面１０３と隣接する端部表面を有する。リップ１１６は、その全長に沿って水平プレート部材９４の外面９５に対してほぼ９０°で配置される。リップ１１６は、垂直プレート部材９４の外面９５にわたる全長に沿って延びる必要はないが、上方サイドフレーム部材１８の第１棚部５２に対して最大量のクランプ力をもたらすために、そのように延びるのが好ましい。リップ１１６の外面１２０が、リップ１１４の外面１２２とほぼ隣接することが想到される。
【００２６】
左コーナー部品２６はまず、水平プレート部材９４の内面９７と、垂直プレート部材９６の内面１０７との間に延びる、各第１ガセット１２６及び第２ガセット１２８を含む。第１ガセット１２６及び第２ガセット１２８はそれぞれ、互いに向き合う内面１２６ａ及び１２８ａ、並びに外面１２６ｂ及び１２８ｂを含む。第１ガセット１２６の外面１２６ｂは、リップ１１６の外面１２０及びリップ１１４の外面１２２と隣接する。
【００２７】
図１１Ａ〜１１Ｃを参照し、左コーナー部品２６を第１のサイドフレーム部材１４及び上方のクロスフレーム部材１８に相互接続させるために、ナット１０４が設けられる。各ナット１０４はそれぞれ、第１端面１３０、及び第２端面１３２によって画定される。第１端面１３０及び第２端面１３２はそれぞれ、全体的に凸面１３４によって離間する。ナット１０４の表面１３４は、外縁部１３６ａ及び内縁部１３６ｂを有する第１弓状部１３６を含む。第１平坦部１４０は、第１弓状部１３６の内縁部１３６ｂから、内縁部１３６ｂとほぼ平行な縁部１４２で終わる。表面１３４の第２平坦部１４４は、縁部１４２から延びて、縁部１４２とほぼ平行な縁部１４６で終わる。表面１３４の第２弓状部１４８は、縁部１４６から延び、端縁部１４８ａで終わる。
【００２８】
各ナット１０４は更に、第１端面１３０から第２端面１３２まで、かつ外縁部１３６ａから縁部１４６まで延びる係合表面１６０を含む。係合表面１６０は、外縁部１３６ａから延びて内縁部１６６で終わる第１の当接する壁部１６４によって画定される。中央の当接する壁部１６８は、内縁部１６６から延びて、端縁部１６９で終わる。中央の当接する壁部１６８は、凸面１３４の第２平坦部１４４が位置する平面とほぼ平行に位置する。以降に記載される理由のために、ねじ開口部１７０は、中央の当接する壁部１６８と、凸面１３４の第２平坦部１４４との間で、これらに対してほぼ垂直な対応軸に沿って延びる。中央の当接する壁部１６８と、凸面１３４の平坦部１４４との間に延びる開口部の数及び位置は、本発明の範囲から逸脱することなく変化してもよい。係合表面１６０は更に、中央の当接する壁部１６８の端縁部１６９から延びて、中央の当接する壁部１６８とほぼ垂直である位置合わせ表面１７６を含む。位置合わせ表面１７６は、内縁部１７８で終わる。以降に記載される理由のため、位置合わせ表面１７６が、スロット３２の一部を画定する第１側壁３４及び第２側壁３６のうちの選択された一方と、摺動自在の境界面を形成すことが意図される。第２の当接する壁部１８２は、内縁部１７８から延びて、端縁部１８４で終わる。第２の当接する壁部１８２は、凸面１３４の第１平坦部１４０が位置する平面、及び中央の当接する壁部１６８が位置する平面とほぼ平行な平面内に位置する。第３の当接する壁部１８６は、第２の当接する壁部１８２の端縁部１８４と、表面１３４の第２弓状部１４８の端縁部１４８ａとの間に延びる。第３の当接する壁部１８６は、凸面１３４の第２平坦部１４４が位置する平面、及び中央の当接する壁部１６８が位置する平面とほぼ平行な平面内に位置する。
【００２９】
左コーナー部品２６を第１のサイドフレーム部材１４、及び上方のクロスフレーム部材１８に相互接続するために、上方のクロスフレーム部材１８の端部１８ａは、第１のサイドフレーム部材１４の第１面３０ａに対して位置付けられる。左コーナー部品２６は、水平プレート部材９４の上面９５が上方のクロスフレーム部材１８の第１面３０ａに係合し、垂直プレート部材９６の外面１０９が第１のサイドフレーム部材１４の第１面３０ａと係合するように位置付けられる。リップ１１６は、上方のクロスフレーム部材１８の第４棚部８２に位置付けられ、リップ１１４は第１のサイドフレーム部材１４の第１棚部５２に位置付けられる。ボルト受容孔９８及び１１３が、内部でねじ開口部１７０と軸方向に位置合わせされるように、ナット１０４は上方のクロスフレーム部材１８のスロット３２内に位置付けられる。ボルト１９０は、水平プレート部材９４を通じてボルト受容孔９８内に挿入され、ナット１０４のねじ開口部１７０内にねじ付けされる。ボルト１９０が、ナット１０４の対応するねじ開口部１７０内にねじ付けされる際、ナット１０２の中央の当接する壁部１６８が、当接する壁部４２の方に引かれてこれと係合する。同様に、ナット１０４の第３の当接する壁部１８６は、第２の内側に当接する壁部４８の方に引かれてこれと係合する。加えて、ナット１０２の各第１の当接する壁部１６４及び第２の当接する壁部１８２はそれぞれ、第２の外側に当接する壁部４６及び第１の内側に当接する壁部４４と摺動自在に係合する。同様に、ボルト受容孔１０６が内部でねじ開口部１７０と軸方向に位置合わせされるように、ナット１０４は第１のサイドフレーム部材１４のスロット３２内に位置付けられる。ボルト１９０は、水平プレート部材９６を通じてボルト受容孔１０６内に挿入され、ナット１０４のねじ開口部１７０内にねじ付けされる。ボルト１９０が、ナット１０４の対応するねじ開口部１７０内にねじ付けされる際、ナット１０２の中央の当接する壁部１６８が、当接する壁部４２の方に引かれてこれと係合する。同様に、ナット１０４の第３の当接する壁部１８６は、第２の内側に当接する壁部４８の方に引かれてこれと係合する。加えて、ナット１０４の各第１の当接する壁部１６４及び第２の当接する壁部１８２はそれぞれ、第２の外側に当接する壁部４６及び第１の内側に当接する壁部４４と摺動自在に係合する。記載されるように、左コーナー部品２６は第１のサイドフレーム部材１４及び上方のクロスフレーム部材１８を複数の平面において一緒に固定し、それによって第１のサイドフレーム部材１４及び上方のクロスフレーム部材１８が互いに対して旋回するのを防ぐ。
【００３０】
同じ方法により、左コーナー部品２６は、第１のサイドフレーム部材１４を下方のクロスフレーム部材２０に相互接続し（図６）、第２のサイドフレーム部材１６を上方のクロスフレーム部材１８、及び下方のクロスフレーム部材２０に接続し、それによってドアフレーム１２を形成するものとして理解することができる。第１のサイドフレーム部材１４及び下方フレーム部材２０など、第１フレーム部材及び第２フレーム部材を、互いに直角で相互接続させるために使用され得るコーナー部品の様々な別の実施形態を提供することが想到される。
【００３１】
図２４〜２６を参照し、コーナー部品の別の実施形態が、符号２２５により示される。コーナー部品２２５は、水平プレート部材２２７、及び、直立、すなわち垂直プレート部材２２９によって画定されるＬ字型本体を含む。水平プレート部材２２７は、ほぼ平坦な下面２３１、ほぼ平坦な反対側の内面２３３、内側面、及び端面２３７を画定する。示される実施形態において、これらの面はそれぞれ、ほぼ平坦な形状である。直立、すなわち垂直プレート部材２２９はまた、水平プレート部材２２７の内面２３３と隣接するほぼ平坦な内面２３９、水平プレート部材２２７の上面２３１と隣接するほぼ平坦な外面２４１、水平プレート部材２２７の内側面と隣接する内側面、及び端面２４５を画定する。水平プレート部材２２７は、それを通って形成される、外側に延びるボルト受容孔２４７を有し、これはその内面２３３と下面２３１との間に延びる。孔２４７は、垂直プレート部材２２９が位置する平面とほぼ平行な軸を画定し、水平プレート部材２２７の内面２３３に対して鋭角で配置される。好ましくは鋭角は１°〜８９°の範囲内にあるが、好ましくは約３０°〜８０°であり、最も好ましくは約６５°である。図２６に最も良好に見られるが、ボルト２４９は、水平プレート部材２２７の孔２４７を通じて、フレーム部材（例えば、下方フレーム部材２０）の第１面３０ａのスロット３２内に延びる。ナット１０４は、下方フレーム部材２０の第１面３０ａ内のスロット３２の終端部内に提供され、コーナー部品２２５を下方フレーム部材２０にしっかりと接続するために、ボルト２４９のシャフト上でねじ付けされる。
【００３２】
上述のように、コーナー部品２２５の直立、すなわち垂直プレート部材２２９は、その内面２３９からその外面２４１にわたって形成される、外側に延びるボルト受容孔２５１を含み、これを通じて、対応ボルト（図示されない）がフレーム部材の面のスロット３２内に延び得る。孔２５１は、垂直プレート部材２２７が位置する平面とほぼ平行な軸を画定し、並びに垂直プレート部材２２９の内面２３９に対して鋭角に配置される。また、この鋭角は、１°〜８９°の範囲であってもよいが、好ましくは約３０°〜約８０°、最も好ましくは約６５°である。ナット１０４は、フレーム部材の面内のスロット３２の終端部内にも提供され、コーナー部品２２５の垂直プレート部材２２９を、対応するフレーム部材にしっかりと接続するために、対応ボルトのシャフト上でねじ付けされてもよい。
【００３３】
垂直プレート部材２２９は、そこから外側に突出するリップ２５３を有する。リップ２５３は、垂直プレート部材２２９の底面と隣接する下面を有し、それぞれ、その全長に沿って、垂直プレート部材２２９の外面２４１から延び、終端面２５９で終わる、第１の狭まる側壁２５５及び第２の狭まる側壁２５７によって画定される。
【００３４】
リップ２５３は、垂直プレート部材２２９の外面２４１の全長に沿って延びる必要はないが、それぞれ、面から延びて、フレーム部材のスロット３２の一部を画定する第１側壁３４及び第２側壁３６に対して最大量のクランプ力をもたらすために、そのように延びるのが好ましい。同様に、水平プレート部材２２７は、そこから外側に突出するリップ２６１を有する。リップ２６１は、水平プレート部材２２７の端面２３７と隣接する端面を有し、それぞれその全長に沿って水平プレート部材２２７の下面２３１から延び、終端面２６７で終わる、第１の狭まる側壁２６３及び第２の狭まる側壁２６５によって画定される。リップ２６１は、水平プレート部材２２７の下面２３１にわたる全長に沿って延びる必要はないが、 それぞれ面から延びて、フレーム部材のスロット３２の一部を画定する第１側壁３４及び第２側壁３６に対して最大量のクランプ力をもたらすために、そのように延びるのが好ましい。
【００３５】
左コーナー部品２２５はまた、各水平プレート部材２２７の内面２３３と、垂直プレート部材２２９の内面２３９との間に延びる、第１ガセット２６９及び第２ガセット２７１を含んでもよい。第１ガセット２６９、及び第２ガセット２７１はそれぞれ、互いに向き合う内面２６９ａ及び２７１ａ、並びに外面２６９ｂ及び２７１ｂを含む。
【００３６】
図２７〜４１を参照し、左コーナー部品の別の実施形態が、符号２２６により示される。それぞれの左コーナー部品２２６は、水平プレート部材２２８、及び直立、すなわち垂直プレート部材２３０によって画定されるＬ字型本体を含む。水平プレート部材２２８は、ほぼ平坦な上面２３２、ほぼ平坦な反対側の内面２３４、内側面２３６、及び端面２３８を画定する。示される実施形態において、これらの表面はそれぞれ、ほぼ平坦な形状である。直立、すなわち垂直プレート部材２３０はまた、水平プレート部材２２８の内面２３４と隣接するほぼ平坦な内面２４０、水平プレート部材２２８の上面２３２と隣接するほぼ平坦な外面２４２、水平プレート部材２２８の内側面２３６と隣接する内側面２４４、及び底面２４６を画定する。水平プレート部材２２８は、それを通って形成される、上方に延びるボルト受容孔２４８を有し、これはその内面２３４と上面２３２との間に延びる。孔２４８は、垂直プレート部材２３０が位置する平面とほぼ平行な軸を画定し、水平プレート部材２２８の下面に対して鋭角で配置される。鋭角は１°〜８９°の範囲内にあるが、好ましくは約３０°〜約８０°であり、最も好ましくは約６５°であることが想到される。ボルト（図示されない）が水平プレート部材２２８の孔２４８を通じて、フレーム部材の面内に形成されたスロット３２に挿入され得ることが理解される。ナット１０４などのナット、又はそれを通る単一のねじ付き孔を有するナットが、フレーム部材１８のスロット３２内に提供され、左コーナー部品２２６をフレーム部材にしっかりと接続するために、ボルトが内部にねじ付けされることが理解され得る。
【００３７】
左コーナー部品２２６の直立、すなわち垂直プレート部材２３０はまた、その内面２４０からその外面２４２まで、それを通って形成される、外側に延びるボルト受容孔２５０を含む。孔２５０は、垂直プレート部材２２８が位置する平面とほぼ平行な軸を画定し、並びに垂直プレート部材２３０の内面２４０に対して鋭角に配置される。鋭角は１°〜８９°の範囲内にあるが、好ましくは約３０°〜約８０°であり、最も好ましくは約６５°であることが想到される。ナット、例えばナット１０４又はそれを通る単一のねじ付き孔を有するナットが、フレーム部材のスロット３２内に設けられてもよく、それによって左コーナー部品２２６をフレーム部材にしっかりと接続するように、ボルトがナットのねじ付き孔内にねじ付けできることが理解できる。
【００３８】
垂直プレート部材２３０は、そこから外側に突出するリップ２５２を有する。リップ２５２は、垂直プレート部材２３０の底面２４６と隣接する下面を有する。リップ２５２は、その全長に沿って、垂直プレート部材２３０の外面２４２に対してほぼ９０°で配置される。リップ２５２は、垂直プレート部材２３０の外面２４２にわたる全長に沿って延びる必要はないが、フレーム部材の棚部（例えば、第１のサイドフレーム部材１４の棚部５２）に対して最大量のクランプ力をもたらすために、そのように延びるのが好ましい。同様に、水平プレート部材２２８は、そこから外側に突出するリップ２５４を有する。リップ２５４は、水平プレート部材２２８の端面２３８と隣接する端部表面を有する。リップ２５４は、その全長に沿って水平プレート部材２２８の上面２３２に対してほぼ９０°で配置される。リップ２５４は、垂直プレート部材２２８の外面２３２にわたる全長に沿って延びる必要はないが 、フレーム部材の棚部（例えば、上方のクロスフレーム部材１８の棚部５２）に対して最大量のクランプ力をもたらすために、そのように延びるのが好ましい。
【００３９】
図４９〜５５を参照し、左コーナー部品の更なる実施形態が、符号３２６により示される。上記のように、左コーナー部品３２６は、第１のサイドフレーム部材１４を上方のクロスフレーム部材１８及び下方クロスフレーム部材２０にそれぞれ相互接続することを意図される。各左コーナー部品３２６は、水平プレート部材２９４、及び直立、すなわち垂直プレート部材２９６によって画定されるＬ字型本体を含む。水平プレート部材２９４は、ほぼ平坦な上面２９５、ほぼ平坦な反対側の内面２９７、内側面３０１、及び端面３０３を画定する。内面２９７は、端縁部３０３に、内面２９７の縁部３０６からそこまでおよそ４５°の角度で上方に延びる面取りされた面３０５によって相互接続されるが、他の角度も本発明の範囲内にあるものとして想到される。示される実施形態において、これらの表面はそれぞれ、ほぼ平坦な形状である。
【００４０】
直立、すなわち垂直プレート部材２９６はまた、水平プレート部材２９４の内面２９７と隣接するほぼ平坦な内面３０７、水平プレート部材２９４の上面２９５と隣接するほぼ平坦な外面３０９、水平プレート部材２９４の内側面３０１と隣接する内側面３１１、及び底部の端縁部３１５を画定する。内面３０７は、端縁部３１５に、内面３０７の縁部３１６からそこまでおよそ４５°の角度で下方に延びる面取りされた面３１７によって相互接続されるが、他の角度も本発明の範囲内にあるものとして想到される。示される実施形態において、これらの表面はそれぞれ、ほぼ平坦な形状である。
【００４１】
水平プレート部材２９４は、それを通って形成される一対の隣接する、上方に延びるボルト受容孔２９８及び２９９を有し、これは水平プレート部材２９４の内面２９７と上面２９５との間に延びる。各孔２９８及び２９９は、垂直プレート部材２９６が位置する平面とほぼ平行な軸を画定し、水平プレート部材２９４の内面２９７に対して鋭角に配置される。鋭角は１°〜８９°の範囲にあることが好ましいが、 好ましくは約３０°〜約８０°であり、最も好ましくは約６５°であることが想到される。ボルト（図示されない）はそれぞれ、水平プレート部材２９４の対応孔２９８及び２９９を通じて、上方のクロスフレーム部材１８の第１面３０ａのスロット３２内に延びる。以降に記載されるように、ナット１０４は、上方のクロスフレーム部材１８の第１面３０ａ内のスロット３２の終端部内に提供され、左コーナー部品３２６を上方のクロスフレーム部材１８にしっかりと接続するように、対応ボルトのシャフト上でねじ付けされる。
【００４２】
左コーナー部品３２６の直立、すなわち垂直プレート部材２９６は、その内面３０７からその外面３０９にわたって形成される、隣接し、位置合わせされた外側に延びる一対のボルト受容孔３０４及び３０８を含み、これを通じて、対応ボルト（図示されない）が、第１のサイドフレーム部材１４の第１面３０ａのスロット３２内に延びる。各孔３０４及び３０８は、垂直プレート部材２９４が位置する平面とほぼ平行な軸を画定し、並びに垂直プレート部材２９６の内面３０７に対して鋭角で配置される。また、この鋭角は、１°〜８９°の範囲であってもよいが、好ましくは約３０°〜約８０°、最も好ましくは約６５°である。ナット１０４は、第１のサイドフレーム部材１４の第１面３０ａのスロット３２の終端部内に提供され、左コーナー部品３２６を第１のサイドフレーム部材１４にしっかりと接続するために、対応ボルトのシャフト上でねじ付けされる。
【００４３】
垂直プレート部材２９６は、そこから外側に突出するリップ３１４を有する。リップ３１４は、垂直プレート部材２９６の端縁部３１５と隣接する下面を有する。リップ３１４は、その全長に沿って、垂直プレート部材２９６の外面３０９に対してほぼ９０°で配置される。リップ３１４は、垂直プレート部材２９６の外面３０９にわたる全長に沿って延びる必要はないが、第１のサイドフレーム部材１４の第１棚部５２に対して最大量のクランプ力をもたらすために、そのように延びるのが好ましい。同様に、水平プレート部材２９４は、そこから外側に突出するリップ３１８を有する。リップ３１８は、水平プレート部材２９４の端面３０３と隣接する端部表面を有する。リップ３１８は、その全長に沿って水平プレート部材２９４の外面２９５に対して実質的に９０°で配置される。
【００４４】
リップ３１８は、垂直プレート部材２９４の外面２９５にわたる全長に沿って延びる必要はないが、上方側部フレーム部材１８の第１棚部５２に対して最大量のクランプ力をもたらすために、そのように延びるのが好ましい。リップ３１８の外面３２０が、リップ３１４の外面３２２とほぼ隣接することが想到される。
【００４５】
左コーナー部品３２６はまず、水平プレート部材２９４の内面２９７と、垂直プレート部材２９６の内面３０７との間に延びる、各第１ガセット３２６及び第２ガセット３２８を含む。第１ガセット３２６及び第２ガセット３２８はそれぞれ、互いに向き合う内面３２６ａ及び３２８ａ、並びに外面３２６ｂ及び３２８ｂを含む。第１ガセット３２６の外面３２６ｂは、リップ３１８の外面３２０、及びリップ３１４の外面３２２と隣接する。
【００４６】
したがって、記載されるコーナー部品の垂直及び水平プレート部材の全てが、コーナー部材２２５に関連して記載されたリップを使用できることが理解できる。このような実施形態において、リップ２５３及び２６１の狭まる壁部が、それぞれ面から延びて、フレーム部材のスロット３２の一部を画定する第１側壁３４及び第２側壁３６にクランプ力をもたらすため、第１棚部５２、第２棚部６２、第３棚部７２及び第４棚部８２は不要である。
【００４７】
図１〜５を参照し、離間した第１ヒンジ３５０及び第２ヒンジ３５２によりそれぞれ、ドアフレーム１２をドア枠フレーム４１０に枢動可能に接続することが想到される。ドア枠フレーム４１０は、対向して離間している長手方向に延びる第１のサイドフレーム部材４１４、及び第２のサイドフレーム部材４１６と、上方のクロスフレーム部材４１８とによってそれぞれ画定される。第１のサイドフレーム部材４１４は、それぞれ上方プレート２２及びコーナー部品２６によって、上方のクロスフレーム部材４１８にしっかり相互接続される。同様に、第２のサイドフレーム部材１６は、それぞれ上方プレート２２及びコーナー部品２６によって、上方のクロスフレーム部材４１８にしっかり相互接続される。記載される実施形態において、第１のサイドフレーム部材４１４、及び第２のサイドフレーム部材４１６、並びに上方のクロスフレーム部材４１８は互いに、かつ上記の第１のサイドフレーム部材１４と同一の構造である。したがって、第１のサイドフレーム部材１４の上記の説明は、各第１のサイドフレーム部材４１４及び第２のサイドフレーム部材４１６、並びにドア枠フレーム４１０の上方のクロスフレーム部材４１８を、これが本明細書において完全に記載されたかのように説明するものと理解される。
【００４８】
ヒンジ３５０及び３５２は同一の構造であり、したがって、第１ヒンジ３５０の以降の記載は、第２ヒンジ３５２をこれが本明細書において完全に記載されたかのようにして説明するものと理解される。ヒンジ３５０は、第１枢動可能要素３５４及び第２枢動可能要素３５６をそれぞれ含む。第１枢動可能要素３５４は、ほぼ平坦な内面３６０、反対側のほぼ平坦な外面３６２、各第１側部３６３及び第２側部３６５、並びに端面３６４を有する壁部３５８を含む。図３〜４に最もよく見られるように、外面３６２及び端面３６４の交点３６６はほぼ弓状である。リップ３６８は壁部３５８、及び壁部３５８の端面３６４と隣接する外面から外側に突出する。より具体的に、リップ３６８は、壁部３５８の外面３６２に対して実質的に９０°で、その全幅に沿って配置される。リップ３６８は、壁部３５８の外面３６２にわたる全長に沿って延びる必要はないが、ドアフレーム１２の第１のサイドフレーム部材１４の第１棚部５２に対して最大量のクランプ力をもたらすために、そのように延びるのが好ましい。
【００４９】
壁部３５８は、その内面３６０からその外面３６２までそれを通って形成されるボルト受容孔３６９を更に含む。孔３６９は、壁部３５８の内面３６０に対して鋭角に配置された軸を画定する。鋭角は１°〜８９°の範囲内にあるが、好ましくは約３０°〜約８０°であり、最も好ましくは約６５°であることが想到される。ナット１０４などのナット、又はそれを通る単一のねじ付き孔を有するナットが、側部フレーム部材１６のスロット３２内に提供されてもよく、それによってヒンジ３５０の第１要素３５４をフレーム部材１６にしっかりと接続するように、ボルトがナットのねじ付き孔内にねじ付けできることが理解できる。
【００５０】
ヒンジ３５０の第１要素３５４の内面３６０及び外面３６２は、ほぼ円筒形部材３７０によって最初に接続される。より具体的に、円筒形部材３７０は、壁部３５８の内面３６０及び外面３６２とほぼ隣接する、ほぼ円筒形の外面３７２を含む。円筒形部材３７０は更に、壁部３５８の第１側部３６３とほぼ隣接する上面３７４、及び壁部３５８の第２側部３６５とほぼ隣接する下面３７６を含む。
【００５１】
経路３７８は、円筒形部材３７０の上面３７４と下面３７６との間に延び、枢動ピン３８０の第１部分を受容するように適合される。
【００５２】
第２枢動可能要素３５６は、ほぼ平坦な内面３８４、反対側のほぼ平坦な外面３８６、各第１側部３８８及び第２側部３９０、並びに端面３９２を有する壁部３８２を含む。図３〜５に最もよく見られるように、外面３８６及び端面３９２の交点３９４はほぼ弓状である。リップ３９６は壁部３８２、及び壁部３８２の端面３９２と隣接する外面から外側に突出する。より具体的に、リップ３９６は壁部３８２の外面３８６に対して実質的に９０°で、その全幅に沿って配置される。リップ３９６は、壁部３８２の外面３８６にわたる全長に沿って延びる必要はないが、第１のサイドフレーム部材４１４の第１棚部５２に対して最大量のクランプ力をもたらすために、そのように延びるのが好ましい。
【００５３】
壁部３８２は、その内面３８４からその外面３８６までそれを通って形成されるボルト受容孔３９７を更に含む。孔３９７は、壁部３８２の内面３８４に対して鋭角に配置された軸を画定する。鋭角は１°〜８９°の範囲内にあるが、好ましくは約３０°〜約８０°であり、最も好ましくは約６５°であることが想到される。ナット１０４などのナット、又は内部を通じた単一のねじ付き孔を有するナットが、側部フレーム部材４１４のスロット３２内に提供されてもよく、それによってヒンジ３５０の第２要素３５６をフレーム部材４１４にしっかりと接続するように、ボルトがナットのねじ付き孔内にねじ付けできることが理解できる。
【００５４】
ヒンジ３５０の第２要素３５６の内面３８４及び外面３８６は、ほぼ円筒形の部材３９８によって内部接続される。より具体的に、円筒形部材３９８は、壁部３８２の内面３８４及び外面３８６とほぼ隣接する、ほぼ円筒形の外面４００を含む。円筒形部材３９８は更に、壁部３８２の第１側部３８８とほぼ隣接する上面４０２、及び壁部３８２の第２側部３９０とほぼ隣接する下面４０４を含む。経路４０６は、円筒形部材３９８の上面４０２と下面４０４との間に延び、第１要素３５４及び第２要素３５６が動作可能に互いに接続されるように、枢動ピン３８０の第２部分を受容するように適合される。ヒンジ３５０の第１要素３５４及び第２要素３５６は枢動ピン３８０を中心に枢動可能であり、それによって第１要素３５４の円筒形部材３７０の下面３７６が、第２要素の円筒形部材３９８の上面４０２と摺動自在の境界面を形成することが理解できる。第２ヒンジ３５２はまた、上記のドアフレーム１２をドア枠フレーム４１０に相互接続させるために使用されてもよく、ドアフレーム１２が、第１要素３５０及び第２要素３５２をそれぞれ、ドア枠フレーム４１０に対して枢動させることを可能にする。
【００５５】
図５６〜５８を参照し、本発明によるヒンジの別の実施形態が一般的に、符号３５１によって指定される。ヒンジ３５１は、第１枢動要素３５３、及び第２枢動要素３５５をそれぞれ含む。第１枢動可能要素３５３は、ほぼ平坦な内面３５９、反対側のほぼ平坦な外面３６１、第１側部３６７及び第２側部３８３、並びに端面３７１を有する、壁部３５７を含む。外面３６１から外側に突出するリップ３７３は、それぞれ外面３６１からその全長に沿って延び、終端面３７９で終わる、第１の狭まる側壁３７５及び第２の狭まる側壁３７７によって画定される。リップ３７３は、外面３６１の全長に沿って延びる必要はないが、相互接続される際に、それぞれ面から延びてフレーム部材のスロット３２の一部を画定する第１側壁３４及び第２側壁３６に対して最大量のクランプ力をもたらすために、そのように延びるのが好ましい。 
【００５６】
壁部３５７は、その内面３５９からその外面３６１までそれを通って形成される離間したボルト受容孔３８１を更に含む。孔３８１は、壁部３５７の内面３５９に対して鋭角に配置された軸を画定する。鋭角は１°〜８９°の範囲内にあるが、好ましくは約３０°〜８０°であり、最も好ましくは約６５°であることが想到される。ナット、例えばナット１０４が、フレーム部材のスロット３２内に設けられてもよく、それによって、ヒンジ３５１の第１要素３５３をフレーム部材にしっかりと接続するように、ボルトがねじ付き孔内にねじ付けされ得ることが理解され得る。
【００５７】
ヒンジ３５１の第１要素３５３の内面３５９及び外面３６１は、ほぼ円筒形の部材３８３によって接続される。より具体的に、円筒形部材３８３は、壁部３５７の内面３５９及び外面３６１とほぼ隣接する、ほぼ円筒形の外面３８５を含む。円筒形部材３８３は更に、壁部３５７の第１側部３６７とほぼ隣接する上面３８５ａ、及び壁部３５７の第２側部３８３とほぼ隣接する下面３８７を含む。経路３８９は、円筒形部材３８３の上面３８５ａと下面３８７との間に延び、枢動ピン（例えば、枢動ピン３８０）の第１部分を受容するように適合される。
【００５８】
第２枢動可能要素３５５は、ほぼ平坦な内面３９３、反対側のほぼ平坦な外面３９５、各第１側部３９９及び第２側部４１１、並びに端面４０１を有する壁部３９１を含む。外面３９５から外側に突出するリップ４０３は、それぞれ外面３９５からその全長に沿って延び、終端面４０９で終わる、第１の狭まる側壁４０５及び第２の狭まる側壁４０７によって画定される。リップ４０３は、外面３９５の全長に沿って延びる必要はないが、相互接続される際に、それぞれ面から延びてフレーム部材のスロット３２の一部を画定する第１側壁３４及び第２側壁３６に対して最大量のクランプ力をもたらすために、そのように延びるのが好ましい。 
【００５９】
壁部３９１は、その内面３９３から外面３９５までそれを通って形成される離間したボルト受容孔４１３を更に含む。孔４１３は、壁部３９１の内面３９３に対して鋭角に配置された軸を画定する。鋭角は１°〜８９°の範囲内にあるが、好ましくは約３０°〜約８０°であり、最も好ましくは約６５°であることが想到される。ナット１０４などのナットが、フレーム部材のスロット３２内に適用されてもよく、それによって、ヒンジ３５１の第２要素３５５をフレーム部材にしっかりと接続するように、ボルトがねじ付き孔内にねじ付けされ得ることが理解され得る。
【００６０】
ヒンジ３５１の第２要素３５５の内面３９３及び外面３９５は、ほぼ円筒形の部材４１５によって相互接続される。より具体的に、円筒形部材４１５は、壁部３９１の内面３９３及び外面３９５とほぼ隣接する、ほぼ円筒形の外面４１７を含む。円筒形部材４１５は更に、壁部３９１の第１側部３９９とほぼ隣接する上面４１９、及び壁部３９１の第２側部４１１とほぼ隣接する下面４２１を含む。
【００６１】
経路４２３は、円筒形部材４１５の上面４１９と下面４２１との間に延び、第１要素３５３及び第２要素３５５が動作可能に互いに接続されるように、枢動ピン（例えば、枢動ピン３８０）の第２部分を受容するように適合される。ヒンジ３５１の第１要素３５３及び第２要素３５５は枢動ピン３８０を中心に枢動可能であり、それによって第２要素３５５の円筒形部材４１５の下面４２１が、第１要素３５３の円筒形部材３８５の上面３８５ａと摺動自在の境界面を形成することが理解され得る。
【００６２】
図１１を参照し、各上方プレート２２は、ほぼ平坦な内面４３０、反対側のほぼ平坦な外面４３２、各第１側部４３４及び第２側部４３６、並びに各第１端部４３８及び第２端部４４０によって画定される。垂直リップ４４２は、内面４３０から外側に突出し、第１側部４３４に隣接する上面４４４、第２側部４３６に隣接する下面４４６、及び端部４３８に隣接する側面を有する。垂直リップ４４２は、その全幅に沿って、内面４３０に対して実質的に９０°で配置される。垂直リップ４４２は、内面４３０にわたる全幅に沿って延びる必要はないが、第１のサイドフレーム部材４１４の棚部７２に対して最大量のクランプ力をもたらすために、そのように延びるのが好ましい。
【００６３】
上方プレート２２は更に、少なくとも１つの第２水平リップ４５０を含む。第１水平リップ４５０は、内面４３０から外側に突出し、第１側部４３４に隣接する上面４５４、第２端部４４０と隣接する下面（図示されない）及び端面を有する。第１水平リップ４５０は、上方のクロスフレーム部材４１８の第１棚部５２に対して最大量のクランプ力をもたらすために、その長さの一部に沿って内面４３０に対して実質的に９０°で配置される。
【００６４】
上方プレート２２はまた、その外面４３２からその内面４３０までそれを通って形成される、隣接し、位置合わせされて外側に延び、垂直に離間した、第１の対のボルト受容孔４６０及び４６２を含み、これを通じて各ボルト４６４及び４６６が、第１のサイドフレーム部材４１４の面３０ｄのスロット３２内に延びる。各孔４６０及び４６２は、外面４３２に対して鋭角に配置される。また、この鋭角は、１°〜８９°の範囲であってもよいが、好ましくは約３０°〜約８０°、最も好ましくは約６５°である。ナット１０４は、第１のサイドフレーム部材４１４の第１面３０ｄのスロット３２の終端部内に提供され、上方プレート２２を第１のサイドフレーム部材４１４にしっかりと接続するために、対応ボルトのシャフト上でねじ付けされる。
【００６５】
その外面４３２からその内面４３０までそれを通って上方プレート２２内に形成される、隣接し、位置合わせされて外側に延び、垂直に離間した、第２の対のボルト受容孔４６８及び４７０を含み、これを通じて各ボルト４７２及び４７４が、上方のクロスフレーム部材４１８の第１面３０ａのスロット３２内に延びる。各孔４６８及び４７０は、外面４３２に対して鋭角に配置される。また、この鋭角は、１°〜８９°の範囲であってもよいが、好ましくは約３０°〜約８０°、最も好ましくは約６５°である。ナット１０４は、上方のクロスフレーム部材４１８の第１面３０ａのスロット３２の終端部内に提供され、上方プレート２２を上方のクロスフレーム部材４１８にしっかりと接続するために、対応ボルトのシャフト上でねじ付けされる。
【００６６】
図１〜２及び１２〜１５を参照し、以降に記載される支持構造５００に、ドア枠フレーム４１０の第１のサイドフレーム４１４及び第２のサイドフレーム４１６をそれぞれ相互接続させることが想到される。支持構造５００は、離間した管状支持体５０６及び５０８によって、それぞれ動作可能に接続された、離間し、長手方向に延びる第１支持フレーム部材５０２及び第２支持フレーム部材５０４を含む。第１支持フレーム部材５０２及び第２支持フレーム部材５０４はそれぞれ、同じ構造であり、したがって、第１支持フレーム部材５０２の以降における記載は、第２支持フレーム部材５０４を、これが本明細書において完全に記載されたかのようにして説明するものと理解される。
【００６７】
第１支持フレーム部材５０２は、一般的に矩形の構成を有し、長手方向軸に沿って延びる。第１支持フレーム部材５０２は、各上方面５１２及び下方面５１４、並びに各第１側面５１６及び第２側面５１８によって画定される。上面５１２は、以降に記載されるように、その全長に沿って長手方向に延びる、中央に位置するスロット３２を含む。同様に、下面５１４は、以降に記載されるように、その全長に沿って長手方向に延びる中央に位置するスロット３２を含み、側面５１６は、以降に記載されるように、その全長に沿って長手方向に延びる中央に位置するスロット３２を含み、第２側面５１８は、以降に記載されるように、その全長に沿って長手方向に延びる中央に位置するスロット３２を含む。
【００６８】
第１支持フレーム部材５０２は、内部に形成される複数の棚部５２０を含む。より具体的に、上面５１２及び第１側面５１６は第１棚部５２０で交差し、第１側面５１６及び下面５１４は第２棚部５２０で交差し、下面５１４及び第２側面５１８は第３棚部５２０で交差し、第２側面５１８及び上面５１２は第４棚部５２０で交差する。各棚部５２０は、構造が同一であり、それぞれ互いに垂直である第１側壁５２２及び第２側壁５２４によって画定される。第１側面５１６及び第２側面５１８はそれぞれ、内部に形成され、スロット３２の反対側に位置する一対の溝５２５を更に含む。各溝５２５は同一の構造であり、垂直である内壁５３１によってそれぞれ相互接続される、平行な第１側壁５２７及び第２側壁５２９によって画定される。第１支持フレーム部材５０２はまた、その長手方向の全長に沿って、内部を通じた複数の経路５２６ａ〜５２６ｈを含んでもよい。
【００６９】
管状支持体５０６を、第１支持フレーム部材５０２及び第２支持フレーム部材５０４の、各上面５１２及び下面１４と相互接続させるため、フェースコネクタ５２８が設けられる。より具体的に、各フェースコネクタ５２８は、対応する管状支持体５０６及び５０８の端部を受容するように適合された、開放端部５３２を有するカラー５３０を含む。ほぼ矩形の壁部５３４は、カラー５３０の相対する端部５３６を閉じる内面５３７及び外面５３８を含む。取り付け壁部５４０は、外面５３８から横方向に延び、これとほぼ垂直である。取り付け壁部５４０は上面５４２及び反対側の下方に向く下面５４４によって一部が画定される。離間するガセット５４３は、取り付け壁部５４０の下面５４４と、壁部５３４の外面５３８との間に延びて、各フェースコネクタ５２８に強度及び安定性を提供する。垂直リップ５４６は、取り付け壁部５４０の上面５４２から上方に突出する。垂直リップ５４６は、その全幅に沿って、上面５４２に対して実質的に９０°の角度で配置されることが想到される。垂直リップ５４６は上面５４２の全幅に沿って延びる必要はないが、各第１支持フレーム部材５０２又は第２支持フレーム部材５０４の対応する棚部５２０に対して最大量のクランプ力をもたらすために、そのように延びることが好ましい。
【００７０】
取り付け壁部５４０は更に、少なくとも１つの外側に延びる、内部に形成されるボルト受容孔５５０を含む。各ボルト受容孔５５０は、それを通って対応ボルト５５４を受容するため、下面５４４から上面５４２まで延びる。各孔５５０は、取り付け壁部５４０の下面５４４に対して鋭角で配置される。また、この鋭角は、１°〜８９°の範囲であってもよいが、好ましくは約３０°〜約８０°、最も好ましくは約６５°である。各孔５５０は、内部を通る対応ボルト５５４を受容し、対応する各第１支持フレーム部材５０２及び第２支持フレーム部材５０４の上面又は下面５１２のスロット３２内に突出するように適合されている。１）下方フレームコネクタ５３８を各対応する第１支持フレーム部材５０２、又は第２支持フレーム部材５０４接続し、かつ２）各第１支持フレーム部材５０２及び第２支持フレーム部材５０４の対応する端部５２０に対して垂直リップ５４６をクランプするために、ナット１０４がスロット３２の終端部内に提供され、各ボルト５５４のシャフト上でねじ付けされる。
【００７１】
動作中、フェースコネクタ５２８のカラー５３０は、管状支持体５０６の反対側の端部に固定される。第１フェースコネクタ５２８の取り付け壁部５４０の上面５４２は、第１支持フレーム部材５０２の下面５１４に隣接するように位置付けられ、それによって第１フェースコネクタ５２８の垂直リップ５４６は、第１支持フレーム部材５０２の第２棚部５２０に受容される。同様に、第２フェースコネクタ５２８の取り付け壁部５４０の上面５４２は、第２支持フレーム部材５０４の下面５１４に隣接するように位置付けられ、それによって第２フェースコネクタ５２８の垂直リップ５４６は、第２支持フレーム部材５０４の第３棚部５２０に受容される。第１のボルト５５４は、第１フェースコネクタ５２８の取り付け壁部５４０を通る孔５５０を通じ、第１支持フレーム部材５０２の下面５１４のスロット３２内に挿入される。１）第１フェースコネクタ（ｆｉｒｓｔ  ｆｒａｍｅ  ｃｏｎｎｅｃｔｏｒ）５３８を第１支持フレーム部材５０２に接続し、かつ２）垂直リップ５４６を第１支持フレーム部材５０２の第２棚部５２０に対してクランプするために、スロット３２の終端部内にナット１０４が提供され、第１のボルト５５４のシャフト上でねじ付けされる。第２のボルト５５４は、第２フェースコネクタ５２８の取り付け壁部５４０を通る孔５５０を通じ、第２支持フレーム部材５０４の下面５１４のスロット３２内に挿入される。１）第２フェースコネクタ５３８を第２支持フレーム部材５０４に接続し、かつ２）垂直リップ５４６を第２支持フレーム部材５０４の第３棚部５２０に対してクランプするために、スロット３２の終端部内にナット１０４が提供され、第２のボルト５５４のシャフト上でねじ付けされる。
【００７２】
管状支持体５０８を第１支持フレーム部材５０２及び第２支持フレーム部材５０４の、各第１側面５１６及び第２側面５１８に相互接続させるため、側部コネクタ５６０が提供される。より具体的に、各側部コネクタ５６０は、対応する管状支持体５０８の端部を受容するように適合された、開放端部５６４を有するカラー５６２を含む。一般的に矩形の取り付け壁部５６６は、カラー５６２の第２の反対側の端部５７０を閉鎖する第１面５６８、及び第２の反対側の面５７２を含む。取り付け壁部５６６はカラー５６２から横方向に延び、取り付け壁部５４０の第２面５７２から外側に突出するリップ５７４を含む。リップ５７４はその全幅に沿って、第２面５７２に対して実質的に９０°の角度で配置されることが想到される。リップ５７４は第２面５７２の全幅に沿って延びる必要はないが、各第１支持フレーム部材５０２又は第２支持フレーム部材５０４の対応する溝５２５に対して最大量のクランプ力をもたらすために、そのように延びることが好ましい。
【００７３】
取り付け壁部５６６は更に、内部に形成される、離間した第１のボルト受容孔５７８及び第２のボルト受容孔５８０を含む。孔５７８及び５８０は、カラー５６２の相対する側部に位置付けられ、内部を通る対応ボルト５８２を受容するために第１面５６８から第２面５７０へと延びる。孔５７８及び５８０は、取り付け壁部５６６の第１面５６８に対して鋭角に配置される。また、この鋭角は、１°〜８９°の範囲であってもよいが、好ましくは約３０°〜約８０°、最も好ましくは約６５°である。孔５７８及び５８０はそれを通って対応ボルト５８２を受容し、各第１支持フレーム部材５０２及び第２支持フレーム部材５０４の、各第１側面５１６及び第２側面５１８のスロット３２内に突出するように適合される。１）各側部フレームコネクタ５６０を各対応する第１支持フレーム部材５０２、又は第２支持フレーム部材５０４接続し、かつ２）第１支持フレーム部材５０２及び第２支持フレーム部材５０４の対応する溝部５２５内にリップ５７４をクランプするために、ナット１０４がスロット３２の終端部内に提供され、各ボルト５８２のシャフト上でねじ付けされる。
【００７４】
動作中、側部コネクタ５６０のカラー５６２が、管状支持体５０８の相対する端部に固定される。第１側部コネクタ５６０のリップ５７４が、第１支持フレーム部材５０２の第１側面５１６の対応する溝５２５に受容されるようにして、第１側部コネクタ５６０の取り付け壁部５６６の第２面５７２が、第１支持フレーム部材５０２の第１側面５１６に隣接するように位置付けられる。同様に、第２フェースコネクタ５２８の第２側面５１８のリップ５７４が、第２支持フレーム部材５０４の対応する溝５２５に受容されるようにして、第２側部コネクタ５６０の取り付け壁部５６６の第２面５７２が、第２支持フレーム部材５０４の第２側面５１８に隣接するように位置付けられる。ボルト５８２は、第１側部コネクタ５６０の取り付け壁部５６６を通る孔５７８及び５８０を通じて、第１支持フレーム部材５０２の第１側面５１６のスロット３２内に挿入される。１）第１側部コネクタ５６０を第１支持フレーム部材５０２に接続し、２）リップ５７４及び５７６を第１支持フレーム部材５０２の溝５２５内にクランプするため、スロット３２の終端部内にナット１０４が提供され、ボルト５８２のシャフト上にねじ付けされる。同様に、ボルト５８２は第２側部コネクタ５６０の取り付け壁部５６６を通る孔５７８及び５８０を通じて、第２支持フレーム部材５０４の第２側面５１８のスロット３２内に挿入される。１）第２側部コネクタ５６０を第２支持フレーム部材５０４に接続し、かつ２）第２支持フレーム部材５０４の対応する溝５２５内にリップ５７４をクランプするため、スロット３２の終端部内にナット１０４が提供され、ボルト５８２のシャフト上でねじ付けされる。
【００７５】
あるいは、図１〜２及び図１６〜１７を参照し、支持フレーム部材５０２及び５０４をそれぞれ、以降に記載される管状フレーム部材５９０と相互接続させることが想到される。管状フレーム部材５９０は、ほぼ円形の断面図を有し、長手方向軸に沿って延びる。管状フレーム部材５９０は、複数の周辺方向に離間した面（ｃｉｒｃｕｍｓｔａｎｔｉａｌｌｙ  ｓｐａｃｅ  ｆａｃｅｓ）５９２ａ〜５９２ｄによって一部を画定される。各面５９２ａ〜５９２ｄは、上記のように、その全長に沿って長手方向に延びる、中央に位置するスロット３２を含む。面５９２ａは、弓状壁部５９４によって面５９２ｄに相互接続され、面５９２ｂは弓状壁部５９４ｂにより面５９２ｃに相互接続され、面５９２ｃは、弓状壁部５９４ｃにより面５９２ｄに相互接続され、面５９２ｄは、弓状壁部５９４ｄにより面５９２ａに相互接続される。肩部５９８は面５９２ａと弓状壁部５９４ａとの交点に形成され、肩部６００は弓状壁部５９４ａと面５９２ｄとの交点に形成され、肩部６０２は面５９２ｂと弓状壁部５９４ｂとの交点に形成され、肩部６０４は弓状壁部５９４ｂと面５９２ｃとの交点に形成され、肩部６０６は面５９２ｃと弓城壁部５９４ｃとの交点に形成され、肩部６０８は弓状壁部５９４ｃと面５９２ｄとの交点に形成され、肩部６１０は面５９２ｄと弓状壁部５９４ｄとの交点に形成され、肩部６１２は弓状壁部５９４ｄと面５９２ａとの交点に形成される。
【００７６】
図１６〜１７で最もよく分かるように、中央ハブ６１６は、その全長に沿って、管状リム６１８内に同心状に配置される。同様に、管状リム６１８は、その全長に沿って管状フレーム部材５９０の内に、同心状に配置される。中央ハブ６１６の外面６１６ａ、及び管状リム６１８の内面６１８ｂは、複数の周辺方向に離間した内部スポーク６２０によって相互接続される。管状リム６１８の外面６１８ａ、及び管状フレーム部材５９０の内面５９０ａは、複数の周辺方向に離間した外部スポーク６２２によって相互接続される。外部スポーク６２２は、内部スポーク６２０と半径方向に位置合わせされている。図示される実施形態において、中央ハブ６１６、管状リム６１８、内部スポーク６２０及び外部スポーク６２２は、管状フレーム部材５９０に強度及び剛性をもたらすことが意図される。
【００７７】
図示される実施形態において、管状フレーム部材５９０の面５９２ｂ及び５９２ｄは、上記のコーナー２６によって第１支持フレーム部材５０２の第２側面５１８に接続される。より具体的に、左コーナー部品２６は、水平プレート部材９４の上面９５が、管状フレーム部材５９０の面５９２ｄに係合し、垂直プレート部材９６の外面１０９が第１支持フレーム部材５０２の第２側面５１８に係合するようにして、位置付けられる。リップ１１６は、管状フレーム部材５９０の肩部６１０内に位置し、リップ１１４は、第１支持フレーム部材５０２の第２側面５１８の溝部５２５内に位置する。ナット１０４は、左コーナー部品２６のボルト受容孔９８及び１１３が、ナット１０４のねじ付き開口部１７０と軸方向に位置合わせされるようにして、管状フレーム部材の面５９２ｄのスロット３２内に位置付けられる。ボルト１９０は、水平プレート部材９４を通じてボルト受容孔９８及び１１３内に挿入され、ナット１０４のねじ開口部１７０内にねじ付けされる。ボルト１９０が、ナット１０４の対応するねじ開口部１７０内にねじ付けされる際、ナット１０４の中央の当接する壁部１６８が、当接する壁部４２の方に引かれてこれと係合する。
【００７８】
同様に、ナット１０４の第３の当接する壁部１８６は、第２の内側に当接する壁部４８の方に引かれてこれと係合する。加えて、ナット１０２の各第１の当接する壁部１６４及び第２の当接する壁部１８２はそれぞれ、第２の外側に当接する壁部４６及び第１の内側に当接する壁部４４と摺動自在に係合する。同様に、第２のナット１０４は、左コーナー部品２６内のボルト受容孔１０５及び１０６が、第２のナット１０４のねじ付き開口部１７０と軸方向に位置合わせされるように、第１支持フレーム部材５０２の第２側面５１８のスロット内３２に位置付けられる。ボルト１９０は、水平プレート部材９６を通じてボルト受容孔１０５及び１０６内に挿入され、ナット１０４のねじ開口部１７０内にねじ付けされる。ボルト１９０が、ナット１０４の対応するねじ開口部１７０内にねじ付けされる際、ナット１０２の中央の当接する壁部１６８が、当接する壁部４２の方に引かれてこれと係合する。同様に、ナット１０４の第３の当接する壁部１８６は、第２の内側に当接する壁部４８の方に引かれてこれと係合する。加えて、ナット１０４の各第１の当接する壁部１６４及び第２の当接する壁部１８２はそれぞれ、第２の外側に当接する壁部４６及び第１の内側に当接する壁部４４と摺動自在に係合する。記載されるように、左コーナー部品２６は、管状フレーム部材５９０の面５９２ｄ、及び第１支持フレーム部材５０２の第２側面５１８を複数の平面で一緒に固定し、それによって管状フレーム部材５９０及び第１支持フレーム部材５０２が、互いに対して枢動することを防ぐ。同様に、右コーナー部品２６は、管状フレーム部材５９０の面５９２ｂ、及び第１支持フレーム部材５０２の第２側面５１８を複数の平面で一緒に固定し、それによって管状フレーム部材５９０及び第１支持フレーム部材５０２が、互いに対して枢動することを防ぐために使用される。
【００７９】
管状支持フレーム部材５９０の面５９２ａ及び５９２ｃを、第１支持フレーム部材５０２の対応する上面５１２及び下面５１４にそれぞれ相互接続させるため、取り付けプレート６３０が提供される。各取り付けプレート６３０はほぼＴ字型であり、互いに対して垂直である、第１脚部６３２及び第２脚部６３４をそれぞれ含む。第１脚部６３２は、ほぼ平坦な内面６３６、反対のほぼ平坦な外面６３８、並びに第１側部６４０及び第２側部６４２それぞれによって画定される。リップ６４４は、第１側部６４０に隣接する位置において、内面６３６から実質的に９０°の角度で下方に延びる。リップ６４４は、管状フレーム部材５９０の肩部５９８に対して最大量のクランプ力をもたらすために、好ましくは第１脚部６３２の全長にわたって延びることが想到される。
【００８０】
第２脚部６３４は、第１脚部６３２の内面６３６と一致するほぼ平坦な内面６４６、第１脚部６３２の外面６３８と一致する、反対側のほぼ平坦な外面６４８、及び終端部６５０によって画定される。リップ６５２は、終端部６５０に隣接する位置において、内面６４６から実質的に９０°の角度で下方に延びる。第１支持フレーム部材５０２の対応する棚部５２０に対して最大量のクランプ力をもたらすために、リップ６５２は第２脚部６３４の全長に沿って延びることが想到される。
【００８１】
取り付けプレート６３０の第１脚部６３２は、その外面６３８からその内面６３６までそれを通って形成される、隣接し、位置合わせされて外側に延び、離間した第１の対のボルト受容孔６５６を含み、これを通じて対応ボルト６５８が、管状支持部材５９０の面５９２ａのスロット３２内に延びる。各孔６５６は、外面６３８に対して鋭角に配置される。また、この鋭角は、１°〜８９°の範囲であってもよいが、好ましくは約３０°〜約８０°、最も好ましくは約６５°である。取り付けプレート６３０の第２脚部６３４もまた、その外面６４８からその内面６４６をまでそれを通って形成される、隣接し、位置合わせされて外側に延び、離間した第１の対のボルト受容孔６６０を含み、これを通じてボルト６６２は、第１支持フレーム部材５０２の上面５１２のスロット３２内に延びる。各孔６６０は、外面６４８に対して鋭角に配置される。また、この鋭角は、１°〜８９°の範囲であってもよいが、好ましくは約３０°〜約８０°、最も好ましくは約６５°である。
【００８２】
管状支持部材５９０を第１支持フレーム部材５０２の上面５１２に接続するため、取り付けプレート６３０を管状支持部材５９０の面５９２ａにしっかりと取り付けるように管状支持部材５９０の面５９２ａのスロット３２の終端部内にナット１０４が提供され、対応ボルト６５８のシャフト上にねじ付けされる。同様に、取り付けプレート６３０を第１支持フレーム部材５０２の上面５１２にしっかりと接続するため、第１支持フレーム部材５０２の上面５１２のスロット３２の終端部内にナット１０４が提供され、対応ボルト６６２のシャフト上にねじ付けされる。管状支持部材５９０を第１支持フレーム部材５０２の下面５１４に接続するため、取り付けプレート６３０を管状支持部材５９０の面５９２ｃにしっかりと取り付けるように管状支持部材５９０の面５９２ｃのスロット３２の終端部内にナット１０４が提供され、対応ボルト６５８のシャフト上にねじ付けされる。同様に、取り付けプレート６３０を第１支持フレーム部材５０２の下面５１４にしっかりと接続するため、第１支持フレーム部材５０２の下面５１４のスロット３２の終端部内にナット１０４が提供され、対応ボルト６６２のシャフト上にねじ付けされる。
【００８３】
図１〜２、及び図１８〜１８Ｂを参照し、様々な構成要素をフレームアセンブリ１０にしっかりと相互接続させることが想到される。例として、符号６７０により示されるスライドが、フレーム部材６７２を通じて第２支持フレーム部材５０４に相互接続される。フレーム部材６７２は、上記の第１のサイドフレーム部材１４と同一である。したがって、第１のサイドフレーム部材１４の前の記載は、フレーム部材６７２を、これが本明細書において完全に記載されたかのようにして説明するものと理解される。
【００８４】
示される実施形態において、フレーム部材６７２の面３０ｃは、上記のコーナー２６によって、第２支持フレーム部材５０４の上面５１２に接続される。より具体的に、左コーナー部品２６は、水平プレート部材９４の上面９５が、第２支持フレーム部材５０４の面５１２に係合し、垂直プレート部材９６の外面１０９がフレーム部材６７２の面３０ｃに係合するようにして、位置付けられる。リップ１１６が第２支持フレーム部材５０４の第４棚部５２０に位置し、リップ１１４がフレーム部材６７２の第２棚部６２に位置する。ナット１０４は、左コーナー部品２６のボルト受容孔９８が、ナット１０４のねじ付き開口部１７０と軸方向に位置合わせされるように、第２支持フレーム部材５０４の上面５１２のスロット３２内に位置付けられる。ボルト１９０は、水平プレート部材９４を通じてボルト受容孔９８内に挿入され、ナット１０４のねじ開口部１７０内にねじ付けされる。ボルト１９０が、ナット１０４の対応するねじ開口部１７０内にねじ付けされる際、ナット１０２の中央の当接する壁部１６８が、当接する壁部４２の方に引かれてこれと係合する。同様に、ナット１０４の第３の当接する壁部１８６は、第２の内側に当接する壁部４８の方に引かれてこれと係合する。加えて、ナット１０２の各第１の当接する壁部１６４及び第２の当接する壁部１８２はそれぞれ、第２の外側に当接する壁部４６及び第１の内側に当接する壁部４４と摺動自在に係合する。同様に、第２のナット１０４は、左コーナー部品２６内のボルト受容孔１０６が、第２のナット１０４のねじ付き開口部１７０と軸方向に位置合わせされるように、フレーム部材６７２の面３０ｃのスロット３２に位置付けられる。ボルト１９０は、水平プレート部材９６を通じてボルト受容孔１０６内に挿入され、ナット１０４のねじ開口部１７０内にねじ付けされる。ボルト１９０が、ナット１０４の対応するねじ開口部１７０内にねじ付けされる際、ナット１０２の中央の当接する壁部１６８が、当接する壁部４２の方に引かれてこれと係合する。同様に、ナット１０４の第３の当接する壁部１８６は、第２の内側に当接する壁部４８の方に引かれてこれと係合する。加えて、ナット１０４の各第１の当接する壁部１６４及び第２の当接する壁部１８２はそれぞれ、第２の外側に当接する壁部４６及び第１の内側に当接する壁部４４と摺動自在に係合する。記載されるように、左コーナー部品２６はフレーム部材６７２の面３０ｃ、及び第２支持フレーム部材５０４の上面５１２を複数の平面で一緒に固定し、それによってフレーム部材６７２、及び第２指示フレーム部材５０４が互いに対して枢動することを防ぐ。
【００８５】
スライド６７０は、ほぼＩ字型の断面を有する細長いバー６７４を含む。バー６７４は、ほぼ平坦な内面６７６、ほぼ平坦な外面６７８、各第１側部６８０及び第２側部６８２、並びに相対する第１端部６８４及び第２端部６８６によって画定される。第１側部６８０及び第２側部６８２はそれぞれ、内部に対応する溝６８８及び６９０を含む。溝６８８及び６９０は、バー６７４の第１端部６８４から第２端部６８６まで長手方向に延び、共通の平面内に位置する。溝６８８はそれぞれ、そこから突出して側部６８０で終わる、第１の広がる側壁６９１及び第２の広がる側壁６９３を有する、凹面６８９によって画定される。
【００８６】
同様に、溝６９０は、それぞれそこから突出し、側部６８２で終わる、第１の広がる側壁６９７及び第２の広がる側壁６９９を有する、凹面６９５によって画定される。
【００８７】
バー６７４は更に、その外面６７８からその内面６７６までそれを通って形成される、複数の軸方向に位置合わせされ、外側に延び、離間したボルト受容孔６９２を含み、これを通じて対応ボルト６９４が支持部材６７２の面３０ａのスロット３２内に延びる。各孔６９２は、外面６７８に対して鋭角に配置される。また、この鋭角は、１°〜８９°の範囲であってもよいが、好ましくは約３０°〜約８０°、最も好ましくは約６５°である。バー６７４を、フレーム部材６７２の面３０ａに相互接続するために、バー６７４の側部６８０は、フレーム部材６７２の面３０ａから突出するリップ７０１に対して位置付けられる。ナット１０４は、ボルト受容孔６９２が対応するナット１０４のねじ付き開口部１７０と軸方向に位置合わせされるように、フレーム部材６７２の面３０ａのスロット３２内に位置付けられる。ボルト６９４は、バー６７４を通じてボルト受容孔６９２内に挿入され、ナット１０４の対応するねじ付き開口部１７０内にねじ付きされる。ボルト６９４が、ナット１０４の対応するねじ開口部１７０内にねじ付けされる際、ナット１０４の中央の当接する壁部１６８が、当接する壁部４２の方に引かれてこれと係合する。同様に、ナット１０４の第３の当接する壁部１８６は、第２の内側に当接する壁部４８の方に引かれてこれと係合する。加えて、ナット１０４の各第１の当接する壁部１６４及び第２の当接する壁部１８２はそれぞれ、第２の外側に当接する壁部４６及び第１の内側に当接する壁部４４と摺動自在に係合する。ナット１０４がボルト６９４上で締められる際、１）バー６７４がフレーム部材６７２に固定され、かつ２）バー６７４が再びリップ７０１に対してクランプされ、それによってバー６７４を複数の面においてフレーム部材６７２に固定する。
【００８８】
１つ以上の、ほぼＣ字型の摺動要素７００が、バー６７４上で摺動自在に受容される（図１８）。それぞれの摺動要素７００は、内面７０４及び外面７０６を有する、ほぼ矩形の基部７０２を含む。以降に記載されるように、ユーザーがフレーム部材６７２に沿って摺動させることを意図する机の引き出しなど、所望の物品に摺動要素７００を相互接続させるために、複数の孔７０７が、摺動要素７００の外面７０６内に提供される。摺動要素７００の内面７０４及び外面７０６はそれぞれ、ほぼ平坦な側部７０８及び７１０によって相互接続される。脚部７１２及び７１４は、基部７０２の相対する端部７１６及び７１８において内面７０４から突出し、それぞれ対応する端部表面７２４及び７２６において終わる。脚部７１２は、基部７１６の端部７１６とほぼ同一平面上にある外面７２０と、基部７０２の内面７０４と交差し、これと垂直である内面７２２とを含む。同様に、脚部７１４は基部７１６の端部７１８とほぼ同一平面上の外面７２８と、基部７０２の内面７０４と交差し、これと垂直な内面７３０とを含む。摺動要素７００は更に、脚部７１２及び７１４の対応する内面７２２及び７３０から延び、対応する端部表面７３６及び７３８でそれぞれ終わる、ガイド７３２及び７３４を含む。ガイド７３２及び７３４の端部表面７３６及び７３８はそれぞれ、基部７０２の内面７０４からそれぞれ広がる、ガイド表面７４０及び７４２により、脚部７１２及び７１４の内面７２２及び７３０に相互接続される。
【００８９】
ガイド７３２の端部表面７３６及びガイド表面７４０は、バー６７４の第１側部６８０の溝６８８を画定する凹面６８９及び第１側壁６９１と摺動可能な境界面を形成する。同様に、ガイド７３４の端部表面７３８及びガイド表面７４２は、バー６７４の第２側部６８２の溝６９０を画定する凹面６９５及び第１側面６９７と摺動可能な境界面を形成する。記載されるように、ガイド７３２及び７３４は、バー６７４上に摺動要素７００を保持し、その長さに沿って、バー６７４に沿った摺動要素７００の運動をガイドする。
【００９０】
本発明の実行の様々な形態が、本発明としてみなされる主題を具体的に指摘し、個別に請求する以下の請求項の範囲内にあるものとして想到される。
【図１】
0005969465.tif 000002
【図２】
0005969465.tif 000003
【図３】
0005969465.tif 000004
【図４】
0005969465.tif 000005
【図５】
0005969465.tif 000006
【図６】
0005969465.tif 000007
【図７】
0005969465.tif 000008
【図８】
0005969465.tif 000009
【図９】
0005969465.tif 000010
【図１０】
0005969465.tif 000011
【図１１】
0005969465.tif 000012
【図１１Ａ】
0005969465.tif 000013
【図１１Ｂ】
0005969465.tif 000014
【図１１Ｃ】
0005969465.tif 000015
【図１２】
0005969465.tif 000016
【図１３】
0005969465.tif 000017
【図１４】
0005969465.tif 000018
【図１５】
0005969465.tif 000019
【図１６】
0005969465.tif 000020
【図１７】
0005969465.tif 000021
【図１８】
0005969465.tif 000022
【図１８Ａ】
0005969465.tif 000023
【図１８Ｂ】
0005969465.tif 000024
【図１９】
0005969465.tif 000025
【図２０】
0005969465.tif 000026
【図２１】
0005969465.tif 000027
【図２２】
0005969465.tif 000028
【図２３】
0005969465.tif 000029
【図２４】
0005969465.tif 000030
【図２５】
0005969465.tif 000031
【図２６】
0005969465.tif 000032
【図２７】
0005969465.tif 000033
【図２８】
0005969465.tif 000034
【図２９】
0005969465.tif 000035
【図３０】
0005969465.tif 000036
【図３１】
0005969465.tif 000037
【図３２】
0005969465.tif 000038
【図３３】
0005969465.tif 000039
【図３４】
0005969465.tif 000040
【図３５】
0005969465.tif 000041
【図３６】
0005969465.tif 000042
【図３７】
0005969465.tif 000043
【図３８】
0005969465.tif 000044
【図３９】
0005969465.tif 000045
【図４０】
0005969465.tif 000046
【図４１】
0005969465.tif 000047
【図４２】
0005969465.tif 000048
【図４３】
0005969465.tif 000049
【図４４】
0005969465.tif 000050
【図４５】
0005969465.tif 000051
【図４６】
0005969465.tif 000052
【図４７】
0005969465.tif 000053
【図４８】
0005969465.tif 000054
【図４９】
0005969465.tif 000055
【図５０】
0005969465.tif 000056
【図５１】
0005969465.tif 000057
【図５２】
0005969465.tif 000058
【図５３】
0005969465.tif 000059
【図５４】
0005969465.tif 000060
【図５５】
0005969465.tif 000061
【図５６】
0005969465.tif 000062
【図５７】
0005969465.tif 000063
【図５８】
0005969465.tif 000064